(57)【特許請求の範囲】
【請求項１】
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したトレーニング用ベルトであって、
前記輪形状になったトレーニング用ベルトのベルト部材に、脱着自在に連結される少なくとも１個の第３の係止部材を備え、
前記第３の係止部材が、
前記輪形状になったトレーニング用ベルトのベルト部材に脱着自在に連結される係止部材本体と、
前記係止部材本体と脱着自在に連結されるとともに、別の輪形状の伸縮自在なベルト部材を脱着自在に連結するベルト連結部とを備え、
前記係止部材本体が、
前記輪形状になったトレーニング用ベルトのベルト部材を、脱着自在に挿着する第１のベルト挿着穴と、
前記別の輪形状の伸縮自在なベルト部材を、脱着自在に挿着する第２のベルト挿着穴と
を備え、
前記ベルト連結部が、フック型連結部材から構成され、
前記フック型連結部材には、一方の端部に鈎形状のフック本体が形成され、
前記フック型連結部材のベルト部材側には、前記別の輪形状の伸縮自在なベルト部材を脱着自在に挿入係止するベルト連結部材が備えられ、
前記ベルト連結部材には、前記別の輪形状の伸縮自在なベルト部材を脱着自在に挿入係止するためのベルト係合穴が形成され、
前記第３の係止部材の係止部材本体の第２のベルト挿着穴に、前記ベルト連結部のフック型連結部材のフック本体を係止することによって、
前記輪形状になったトレーニング用ベルトのベルト部材に、前記別の輪形状の伸縮自在なベルト部材を脱着自在に連結するように構成され、
前記ベルト連結部材には、
前記別の輪形状の伸縮自在なベルト部材の一端を脱着自在に挿入係止するための第１のベルト係合穴と、
前記別の輪形状の伸縮自在なベルト部材の他端を脱着自在に挿入係止するための第２のベルト係合穴とが形成されていることを特徴とするトレーニング用ベルト。
【請求項２】
前記第３の係止部材が、一つの前記別の輪形状の伸縮自在なベルト部材に対して、二つ設けられ、
それぞれの第３の係止部材のベルト連結部材のベルト係合穴に、前記別の輪形状の伸縮自在なベルト部材の一端部が、それぞれ係止されるように構成されていることを特徴とする請求項１に記載のトレーニング用ベルト。
【請求項３】
前記第３の係止部材が、一つの前記別の輪形状の伸縮自在なベルト部材に対して、二つ設けられ、
それぞれの第３の係止部材のベルト連結部材のベルト係合穴に、前記別の輪形状の伸縮自在なベルト部材の一端部が、それぞれ括り付け係止されるように構成されていることを特徴とする請求項２に記載のトレーニング用ベルト。
【請求項４】
前記第１のベルト係合穴に、前記別の輪形状の伸縮自在なベルト部材の一端が、脱着自在に括り付け係止され、
前記第２のベルト係合穴に、前記別の輪形状の伸縮自在なベルト部材の他端が、脱着自在に括り付け係止されるように構成されていることを特徴とする請求項４に記載のトレーニング用ベルト。
【請求項５】
前記第１のベルト係合穴の形状が、幅の異なるスリット穴形状であって、前記別の輪形状の伸縮自在なベルト部材の他端の拡径部が、スリット穴の細幅部に脱着自在に係止されるように構成されていることを特徴とする請求項４に記載のトレーニング用ベルト。
【請求項６】
前記第２のベルト係合穴の形状が、幅の異なるスリット穴形状であって、前記別の輪形状の伸縮自在なベルト部材の他端の拡径部が、スリット穴の細幅部に脱着自在に係止されるように構成されていることを特徴とする請求項４から５のいずれかに記載のトレーニング用ベルト。
【請求項７】
前記第３の係止部材の係止部材本体の第２のベルト挿着穴の形状が、幅の異なるスリット穴形状であって、
前記第３の係止部材の係止部材本体の第２のベルト挿着穴の細幅部に、前記ベルト連結部のフック型連結部材のフック本体を係止することによって、
前記輪形状になったトレーニング用ベルトのベルト部材に、前記別の輪形状の伸縮自在なベルト部材を脱着自在に連結するように構成したことを特徴とする請求項１から６のいずれかに記載のトレーニング用ベルト。
【請求項８】
請求項１から７のいずれかに記載のトレーニング用ベルトとともに用いるゴムまり部材であって、
前記ゴムまり部材が、ゴムまり部材本体を備え、
前記ゴムまり部材本体が、ゴムまり部材本体に、空気ポンプなどを用いて、ゴムまり部材本体の内部に空気を導入して、ゴムまり部材本体を膨らませるための空気導入口を備え、
前記ゴムまり部材が、前記ゴムまり部材本体の空気導入口に脱着自在に挿着される風船部材を備え、
前記風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の空気導入口に脱着自在に挿入され、
前記ノズル部材の先端部には、空気穴が形成されており、
前記ゴムまり部材本体に、前記トレーニング用ベルトを使用して、外部より圧力を加えることによって、ゴムまり部材本体内部の空気が、前記ノズル部材の先端部に形成された空気穴を介して、風船部材本体に移動して、風船部材本体が膨張するように構成されていることを特徴とするゴムまり部材。
【請求項９】
前記風船部材の風船部材本体の空気口には、ノズル部材を脱着自在に装着するノズル装着部材が取り付けられていることを特徴とする請求項８に記載のゴムまり部材。
【請求項１０】
前記ノズル部材の基端部には、雄ネジ部が形成され、
前記ノズル装着部材の先端部には、雌ネジ部が形成され、
前記ノズル部材の雄ネジ部と、ノズル装着部材の雌ネジ部を螺合することによって、前記風船部材の風船部材本体に、ノズル部材を脱着自在に装着することができるように構成されていることを特徴とする請求項９に記載のゴムまり部材。
【請求項１１】
ゴムまり部材本体を備えたゴムまり部材と、
前記ゴムまり部材本体が、ゴムまり部材本体の空気導入口を備え、
前記ゴムまり部材本体が、ゴムまり部材本体に、空気ポンプなどを用いて、ゴムまり部材本体の内部に空気を導入して、ゴムまり部材本体を膨らませるための空気導入口を備え、
風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の空気導入口に脱着自在に挿入され、
前記ノズル部材の先端部には、空気穴が形成されており、
前記ゴムまり部材本体に、トレーニング用ベルトを使用して、外部より圧力を加えることによって、ゴムまり部材本体内部の空気が、前記ノズル部材の先端部に形成された空気穴を介して、風船部材本体に移動して、風船部材本体が膨張するように構成されていることを特徴とするゴムまり部材。
【請求項１２】
前記風船部材の風船部材本体の空気口には、ノズル部材を脱着自在に装着するノズル装着部材が取り付けられていることを特徴とする請求項１１に記載のゴムまり部材。
【請求項１３】
前記ノズル部材の基端部には、雄ネジ部が形成され、
前記ノズル装着部材の先端部には、雌ネジ部が形成され、
前記ノズル部材の雄ネジ部と、ノズル装着部材の雌ネジ部を螺合することによって、前記風船部材の風船部材本体に、ノズル部材を脱着自在に装着することができるように構成されていることを特徴とする請求項１２に記載のゴムまり部材。
【発明の詳細な説明】
【技術分野】
【０００１】
本発明は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニング（以下、単に「トレーニング」と言う）に使用する、例えば、ゴムなどの伸縮自在なベルトから構成されるトレーニング用ベルト、および、ゴムまり部材に関する。
【背景技術】
【０００２】
従来より、このような種々のトレーニングを行うためトレーニング用具として、例えば、エキササイズゴムバンド、ループバンド、トレーニングチューブなどが用いられている。
【０００３】
このようなトレーニング用具として、従来より、例えば、ゴムなどから構成される伸縮性を有する伸縮部材を用いた、いわゆる「エキスパンダー」として、輪形状（ループ形状）ループバンドが用いられている。
【０００４】
このようなループバンドでは、ループバンドの長さが一定であるので、例えば、使用目的、使用部位、トレーニング方法、トレーニング強度、ループの強さ（負荷）など応じて、様々な長さのループバンドを準備しなければならず、コストが高くつくとともに、ループバンドを選択して、トレーニングを行う必要があるため、煩雑で面倒である。
【０００５】
このため、特許文献１（特開２０１７−１８２４３号公報）では、様々な長さのループバンドを準備する必要がなく、任意の長さのループバンドとして使用可能なトレーニングツールが開示されている。
【０００６】
すなわち、図３４は、特許文献１に示されているトレーニングツールの斜視図である。
【０００７】
図３４に示したように、特許文献１に示されているトレーニングツール１００は、第１の伸縮性部材１０２と、第１の伸縮性部材１０２よりも長手方向に長い第２の伸縮性部材１０４からなるループ１０６を、接合部１０８を介して、複数連接して構成されている。
【０００８】
そして、例えば、左右の手をループ１０６に挿入して持つ箇所（位置）を、種々変えることで、トレーニングツール１００の長さを変更し、トレーニング中に掛かる負荷の強さなどを調整することができるように構成されている。
【０００９】
しかしながら、特許文献１に記載のトレーニングツール１００では、第１の伸縮性部材１０２と、第１の伸縮性部材１０２よりも長手方向に長い第２の伸縮性部材１０４からなる複数のループ１０６を、予め接合部１０８を介して製造しなければならず、複雑な構成でコストが高くつくことになる。
【００１０】
また、従来の一般的に販売されているループバンドを利用することは不可能であって、とトレーニングする者にとって、経済的にも、また、持ち運びなど、負担を強いることにもなる。
【００１１】
さらに、特許文献１に記載のトレーニングツール１００では、例えば、左右の手をループ１０６に挿入して持つ箇所（位置）によっては、両端部分に余った部分が生じて、トレーニングの邪魔になったり、周辺や体の他の部位に絡まったりして、問題が生じるおそれもある。
【００１２】
また、従来のループバンドを、例えば、足の運動、膝の運動などのトレーニングに使用する際には、椅子に座ったり、屈んだ状態で、ループ内に両足を入れて使用しなければならず、不便であるとともに、ある程度広い場所が必要である。
【００１３】
このため、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベッドの上でのトレーニングには不向きであった。
【００１４】
このため、本出願人は、特許文献２（特許第６４４６６５４号公報）において、従来の一般的に販売されているループバンドを利用することが可能で、複数のループバンドを簡単な構造で、しかも容易に任意の長さに連結でき、コストも手間も低減でき、持ち運びにも便利なトレーニング用ベルトを提供した。
【００１５】
図３５は、特許文献２のトレーニング用ベルト１０の概略を模式的に示す分解斜視図、図３６は、図３５のトレーニング用ベルト１０の分解上面図、図３７は、図３５のトレーニング用ベルト１０の第１の係止部材２０であるバックル型係止部材２２を示す部分拡大断面図、図３８は、図３５のトレーニング用ベルト１０を組み立てて、トレーニングのために、ゴムまりＣを両足Ｄの間に挟んだ状態を説明する断面図である。
【００１６】
具体的には、図３５〜図３８に示したように、特許文献２のトレーニング用ベルト１０は、複数の、例えば、ゴムなどの伸縮自在な輪形状のベルト部材１２（第１のベルト部材１２ａ、第２のベルト部材１２ｂ）を備えている。
【００１７】
また、これらのベルト部材１２（第１のベルト部材１２ａ、第２のベルト部材１２ｂ）同士を、脱着自在に連結する中間係止部材１４を備えている。
【００１８】
また、これらのベルト部材１２（第１のベルト部材１２ａ、第２のベルト部材１２ｂ）同士を、脱着自在に連結する中間係止部材１４を備えている。
【００１９】
図３５〜図３７に示したように、中間係止部材１４は、中間係止部材１４の中央部分に形成された係止バー本体１４ａを備えている。そして、係止バー本体１４ａの両端から、延設部１４ｂを介して、一定間隔離間するようにそれぞれ延設された、第１の係止バー部材１４ｃと第２の係止バー部材１４ｄを備えている。
【００２０】
また、係止バー本体１４ａと第１の係止バー部材１４ｃとに囲まれた部分に、第１の係止穴１６ａが形成されている。そして、第１の係止穴１６ａには、複数のベルト部材１２の一方の端部の第１のベルト部材１２ａを脱着自在に挿入係合するための第１のスリット１８ａが形成されている。
【００２１】
一方、係止バー本体１４ａと第２の係止バー部材１４ｄとに囲まれた部分に、第２の係止穴１６ｂが形成されている。そして、第２の係止穴１６ｂには、複数のベルト部材１２の他方の端部の第２のベルト部材１２ｂを脱着自在に挿入係合するための第２のスリット１８ｂが形成されている。
【００２２】
このように構成することによって、図３５の矢印で示したように、係止バー本体１４ａと第１の係止バー部材１４ｃとに囲まれた部分に形成された第１の係止穴１６ａに、第１のスリット１８ａを介して、複数のベルト部材１２の一方の端部のベルト部材１２ａを脱着自在に挿入係合することができる。
【００２３】
そして、図３５の矢印で示したように、係止バー本体１４ａと第２の係止バー部材１４ｄとに囲まれた部分に形成された第２の係止穴１６ｂに、第２のスリット１８ｂを介して、複数のベルト部材１２の他方の端部のベルト部材１２ｂを脱着自在に挿入係合することができる。
【００２４】
このようにして、特許文献２のトレーニング用ベルト１０は、複数のベルト部材１２同士（この実施例では、第１のベルト部材１２ａ、第２のベルト部材１２ｂ）を、簡単容易に、脱着自在に連結することができるように構成されている。
【００２５】
さらに、特許文献２のトレーニング用ベルト１０では、中間係止部材１４で連結されたベルト部材１２の一方の端部（第１のベルト部材１２ａの一方の端部１２ｃ）に、脱着自在に連結される第１の係止部材２０を備えている。
【００２６】
図３５〜図３８に示したように、第１の係止部材２０が、バックル型のバックル型係止部材２２から構成されている。
【００２７】
特許文献２のトレーニング用ベルト１０では、例えば、図３７のバックル型係止部材２２の部分拡大断面図で示したような構造のものを使用している。
【００２８】
具体的には、バックル型係止部材２２は、バックル本体２４と、このバックル本体２４の一端に形成されたヒンジ２６を介して、図３７の矢印Ａ方向に、バックル本体２４に対して開閉可能なバックル開閉部材２８を備えている従来のバックル構造である。
【００２９】
また、図３７に示したように、バックル型係止部材２２には、バックル本体２４の上面に、一定間隔離間して上方に突出するように形成された複数の幅方向に延びる第１の突設係止部３０ａ、３０ｂが形成されている。
【００３０】
そして、バックル開閉部材２８の下面には、これらの第１の突設係止部３０ａ、３０ｂに対応して、複数の幅方向に延び、これらの第１の突設係止部３０ａ、３０ｂとは、位置がずれるように下方に突出形成された第２の突設係止部３２ａ、３２ｂが形成されている。
【００３１】
これにより、図３７の矢印Ａ方向に、バックル本体２４に対して、バックル開閉部材２８を閉じた際に、図３７の矢印Ｂ方向に、バックル型係止部材２２内に、第２の係止部材３８を構成するベルト形状のベルト型係止部材４０を挿着した際に、ベルト型係止部材４０が、これらの第１の突設係止部３０ａ、３０ｂ、第２の突設係止部３２ａ、３２ｂとの間に挟持され、しっかりとトレーニング用ベルト１０の長さ位置を調節保持することができるように構成されている。
【００３２】
バックル型係止部材２２のベルト部材１２側（第１のベルト部材１２ａの一方の端部１２ｃ側）には、ベルト部材１２ａを脱着自在に挿入係止する第１の挿入係合部材３４が備えられている。
【００３３】
そして、第１の挿入係合部材３４には、ベルト部材１２ａを脱着自在に挿入係止するためのスリット３４ａを備えた第１のベルト係合穴３６が形成されている。
【００３４】
このように構成することによって、特許文献２のトレーニング用ベルト１０では、バックル型係止部材２２のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【００３５】
また、特許文献２には、スナップフィット型の第１の係止部材２０が提案されている。
すなわち、図４４は、特許文献２のトレーニング用ベルト１０の部分分解上面図である。
【００３６】
図４４に示したように、特許文献２に記載のトレーニング用ベルト１０では、第１の係止部材２０が、スナップフィット型の雌形状係止部材５０と、雄形状係止部材５６とから構成されている。
【００３７】
そして、この雌形状係止部材５０には、後述する雄形状係止部材５６の雄形係合部５６ａが、脱着自在に係合する２つの雌型係合孔５０ａが形成されている。
【００３８】
一方、雄形状係止部材５６には、雄形状係止部材５６のベルト部材１２側（第２のベルト部材１２ｂの他方の端部１２ｄ側）には、ベルト部材１２ｂを脱着自在に挿入係止する第２の挿入係合部材４２が一体的に備えられている。
【００３９】
また、第２の挿入係合部材４２のスリット４２ａは、雄形状係止部材５６の雄形係合部５６ａの間に形成されている。
【００４０】
このように構成することによって、スナップフィット型の雌形状係止部材５０と雄形状係止部材５６とを係止（雄形状係止部材５６の雄形係合部５６ａを、雌形状係止部材５０の雌型係合孔５０ａに脱着自在に係合する）することによって、輪形状になるように構成されている。
【００４１】
このように構成される特許文献２のトレーニング用ベルト１０では、例えば、図３８に示したように、トレーニング用ベルト１０を組み立てて、トレーニングのために、ゴムまりＣを両足Ｄ（例えば、太もも）の間に挟んだ状態で、トレーニングすることができる。
【００４２】
すなわち、図３８の矢印Ｅで示した方向に、足Ｄを外に開く方向に負荷かけたり、図３８の矢印Ｆで示した方向に、ゴムまりＣを圧縮することによって、負荷かけたりすることによって、足全体のトレーニングに供することができるように構成されている。
【００４３】
このようなトレーニングの他、特許文献２の図７〜図１３などに示したような、様々なトレーニング方法に用いることができる。
【００４４】
さらに、本出願人は、特許文献３（特許第６６６４７１９号公報）、特許文献４（国際公開公報ＷＯ２０２０／０３９６６７）において、特許文献２をさらに改良して、トレーニング効果を向上したトレーニング用ベルト、および、ゴムまり部材を提案している。
【００４５】
なお、特許文献４は、特許文献２と特許文献３の内容を合体したものに相当する。
【００４６】
図３９は、特許文献３のトレーニング用ベルト１０を組み立てて、トレーニングのために、ゴムまりＣを両足Ｄの間に挟んだ状態を説明する断面図、図４０は、第３の係止部材１３の分解斜視図、図４１（Ａ）は、第３の係止部材１３の係止部材本体１５の正面図、図４１（Ｂ）は、第３の係止部材１３の係止部材本体１５の平面図、図４１（Ｃ）は、第３の係止部材１３の係止部材本体１５の断面図である。
【００４７】
図３９に示したように、特許文献３のトレーニング用ベルト１０では、輪形状になったトレーニング用ベルト１０のベルト部材１２に、さらに、脱着自在に連結される少なくとも１個の第３の係止部材１３を備えている。
【００４８】
すなわち、図３９〜図４１（Ｃ）に示したように、第３の係止部材１３は、前述の実施例に示したように、輪形状になったトレーニング用ベルト１０のベルト部材１２に、さらに、脱着自在に連結される係止部材本体１５を備えている。
【００４９】
係止部材本体１５は、図３９〜図４１（Ｃ）に示したように、平板部１５ａと、この平板部１５ａの短手方向両側に上方に延設された側板部１５ｂ、１５ｃとから構成されている。
【００５０】
また、図４１（Ｂ）〜図４１（Ｃ）に示したように、係止部材本体１５が、開閉可能な輪形状である。すなわち、側板部１５ｂ、１５ｃが、相互に開閉可能なように構成されている。
【００５１】
なお、平板部１５ａには、例えば、図４１（Ｃ）に示したように、例えば、ゴムなどからなる保護部材１５ｅが設けられており、ベルト部材１２が損傷しないように保護している。
【００５２】
そして、このようにして係止部材本体１５の輪形状になった部分に、前述の実施例のように、輪形状になったトレーニング用ベルト１０のベルト部材（１２ａ、１２ｂ）が、脱着自在に連結されるように構成されている。
【００５３】
さらに、図３９〜図４１（Ｃ）に示したように、側板部１５ｂ、１５ｃに、係止孔１５ｄが形成されている。
【００５４】
また、図４０に示したように、第３の係止部材１３は、別の輪形状の伸縮自在なベルト部材１２ｅを脱着自在に連結するベルト連結部１７を備えている。
【００５５】
そして、ベルト連結部１７は、係止部材本体１５と脱着自在に連結されるように構成されている。すなわち、この実施例の場合には、図３６に示したように、ベルト連結部１７は、リング型係止部材となっており、開閉可能な開閉部材１７ａと、リング穴１７ｂが形成されている。
【００５６】
また、ベルト連結部１７のベルト部材側、すなわち、別の輪形状の伸縮自在なベルト部材１２ｅ側には、ベルト部材１２ｅを脱着自在に挿入係止する挿入係合部材１９が備えられている。
【００５７】
この挿入係合部材１９は、略リング形状であって、その端部には、開閉部１９ａによって開閉できるとともに、係止できるロック係止機構２１を備えている。例えば、蝶ネジ２１ａによってロックができるように構成されている。
【００５８】
すなわち、特許文献３のトレーニング用ベルト１０では、ロック係止機構２１を解除・ロックして、開閉部１９ａを開閉することによって、開閉部１９ａを介して、リング孔１９ｂを開閉することによって、別の輪形状の伸縮自在なベルト部材１２ｅを脱着自在に連結することができるように構成されている。
【００５９】
特許文献３のトレーニング用ベルト１０は、例えば、特許文献３の図３８に示したように、さらに、両足に、別の輪形状の伸縮自在なベルト部材１２ｅを使用すれば、腕、足腰など総合的な運動、エクササイズを行うことができ極めて便利なように構成されている。
【００６０】
また、特許文献３のトレーニング用ベルト１０では、トレーニング用ベルト１０と併用して使用するゴムまり部材を提案している。
【００６１】
すなわち、図４２は、特許文献３のゴムまり部材８０の斜視図、図４３は、特許文献３のゴムまり部材８０を用いて、特許文献３のトレーニング用ベルト１０を組み立てて、トレーニングのために、ゴムまり部材８０を両足Ｄの間に挟んだ状態を説明する断面図である。
【００６２】
図４２に示したように、特許文献３のゴムまり部材８０は、周知の形状のゴムまりから構成されるゴムまり部材本体８２を備えている。
【００６３】
ゴムまり部材本体８２には、周知の構成の空気導入口８２ａが形成されており、空気導入口８２ａとは別に、開閉穴８２ｃを備えている。この開閉穴８２ｃには、開閉可能な蓋部材８２ｂを備えている。
【００６４】
この蓋部材８２ｂによって、開閉穴８２ｃを閉止することによって、ゴムまり部材本体８２の空気導入口８２ａを介して導入された空気が、外部に漏洩することがないように構成されている。
【００６５】
そして、ゴムまり部材８０は、ゴムまり部材本体８２の開閉穴８２ｃに脱着自在に挿着される風船部材８４を備えている。また、風船部材８４は、周知の風船からなる風船部材本体８６を備えている。
【００６６】
また、図４２に示したように、風船部材８４は、風船部材本体８６の空気口８６ａに装着されたノズル部材８８を備えている。
【００６７】
そして、ノズル部材８８は、ノズル部材８８の基端部８８ａが、風船部材本体８６の空気口８６ａに装着されている。
【００６８】
この実施例では、ノズル部材８８の基端部８８ａは、略ドーム形状になっており、その中央部分に開口部８８ｂが形成されている。
【００６９】
また、図４３に示したように、ノズル部材８８には、ノズル形状となった先端部８８ｃを備えている。この先端部８８ｃには、複数の空気穴８８ｄが形成されており、この空気穴８８ｄと開口部８８ｂとが連通するように構成されている。
【００７０】
そして、ノズル部材８８の先端部８８ｃが、ゴムまり部材本体８２の開閉穴８２ｃに脱着自在に挿入されるように構成されている。
【００７１】
このように構成される特許文献３のゴムまり部材８０は、以下のようにして使用される。
【００７２】
先ず、公知のボール用の空気ポンプなどを用いて、ゴムまり部材本体８２の空気導入口８２ａを介して、ゴムまり部材本体８２の内部に空気を導入して、ゴムまり部材本体８２を膨らませる。
【００７３】
なお、この際には、蓋部材８２ｂによって、開閉穴８２ｃを閉止することによって、ゴムまり部材本体８２の空気導入口８２ａを介して導入された空気が、外部に漏洩することがないようにする。
【００７４】
その後、蓋部材８２ｂを開いて、開閉穴８２ｃに、ノズル部材８８の先端部８８ｃを所定の位置（ゴムまり部材本体８２内の空気が外部に漏洩しない位置）まで挿入する。
【００７５】
これにより、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張するように構成されている。
【００７６】
なお、この際、図４３に示したように、本発明のゴムまり部材８０を用いて、本発明のトレーニング用ベルト１０を組み立てて、トレーニングのために、ゴムまり部材８０を両足Ｄの間に挟んだ状態で使用しても良いように構成されている。
【００７７】
この場合には、トレーニング用ベルト１０を使用して、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張するように構成されている。
【００７８】
このように構成することにって、ゴムまり部材８０を用いて、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張する。
【００７９】
一方、ゴムまり部材本体８２への外部より圧力を弱めることによって、ゴムまり部材本体８２の弾性によって、ゴムまり部材本体８２が膨張する方向に移動する。
【００８０】
これにより、逆に、風船部材本体８６内の空気が、ノズル部材８８の基端部８８ａの開口部８８ｂ、ノズル部材８８の先端部８８ｃに形成された空気穴８８ｄを介して、ゴムまり部材本体８２内に移動して、ゴムまり部材本体８２が膨張するとともに、風船部材本体８６が萎むように構成されている。
【００８１】
このように構成することにって、例えば、脚の運動、握力の強化などの様々な運動、エクササイズにおいて、風船部材本体８６が膨らんだり、萎んだりするので、運動の目安となって極めて便利であるように構成されている。
【先行技術文献】
【特許文献】
【００８２】
【特許文献１】特開２０１７−１８２４３号公報
【特許文献２】特許第６４４６６５４号公報
【特許文献３】特許第６６６４７１９号公報
【特許文献４】国際公開公報ＷＯ２０２０／０３９６６７
【発明の概要】
【発明が解決しようとする課題】
【００８３】
しかしながら、特許文献２に記載のトレーニング用ベルト１０では、第１の係止部材２０が、バックル型係止部材２２は、バックル本体２４と、このバックル本体２４の一端に形成されたヒンジ２６を介して、図３７の矢印Ａ方向に、バックル本体２４に対して開閉可能なバックル開閉部材２８を備えている従来のバックル構造である。。
【００８４】
従って、このような従来のバックル構造のバックル型のバックル型係止部材２２から構成されているので、複雑な構造でコストが高くなる。
【００８５】
また、バックル型のバックル型係止部材２２では、図３７の矢印Ｂ方向に、バックル型係止部材２２内に、第２の係止部材３８を構成するベルト形状のベルト型係止部材４０を挿着して、図３７の矢印Ａ方向に、バックル本体２４に対して、バックル開閉部材２８を閉じて係止する必要があるため、着脱の操作が煩雑で手間がかかることになる。
【００８６】
また、特許文献２に記載のトレーニング用ベルト１０のスナップフィット型の第１の係止部材２０では、雌形状係止部材５０と雄形状係止部材５６とを係止する際に、手指が雄形状係止部材５６の先端側にかかり、誤って手指を挟んだりすることがある。
【００８７】
さらに、特許文献２に記載のトレーニング用ベルト１０のスナップフィット型の第１の係止部材２０では、伸縮自在なベルト部材１２が、引っ張られている状態で、誤って雌形状係止部材５０と雄形状係止部材５６との係止状態を解除されることがある。
【００８８】
また、特許文献３の図３９〜図４１（Ｃ）に示したように、特許文献３のトレーニング用ベルト１０では、輪形状になったトレーニング用ベルト１０のベルト部材１２に、脱着自在に連結される第３の係止部材１３の構造が複雑な構造である。
【００８９】
すなわち、特許文献３の第３の係止部材１３では、ベルト連結部１７の開閉可能な開閉部材１７ａと、リング穴１７ｂのような複雑な構造、ならびに、挿入係合部材１９の開閉部１９ａ、ロック係止機構２１としての蝶ネジ２１ａのような複雑な構造が必要で、コストが高くつくことになる。
【００９０】
また、特許文献３のトレーニング用ベルト１０では、ロック係止機構２１を解除・ロックして、開閉部１９ａを開閉することによって、開閉部１９ａを介して、リング孔１９ｂを開閉することによって、別の輪形状の伸縮自在なベルト部材１２ｅを脱着自在に連結する操作が煩雑である。
【００９１】
また、特許文献３の図３９〜図４１（Ｃ）に示したように、特許文献３のトレーニング用ベルト１０では、輪形状になったトレーニング用ベルト１０のベルト部材１２に、脱着自在に連結される係止部材本体１５の構造が複雑な構造である。
【００９２】
すなわち、特許文献３の図３９〜図４１（Ｃ）に示したように、特許文献３のトレーニング用ベルト１０では、係止部材本体１５が、平板部１５ａと、この平板部１５ａの短手方向両側に上方に延設された側板部１５ｂ、１５ｃ、保護部材１５ｅなど複雑な構造が必要で、コストが高くつくことになる。
【００９３】
また、側板部１５ｂ、１５ｃを相互に開閉して、輪形状になったトレーニング用ベルト１０のベルト部材（１２ａ、１２ｂ）を、脱着自在に連結しなければならず、操作が煩雑である。
【００９４】
さらに、特許文献３のゴムまり部材８０では、図４２〜図４３に示したように、ゴムまり部材本体８２の空気導入口８２ａとは別に、ゴムまり部材本体８２の開閉穴８２ｃを設けなければならず、空気導入口８２ａ、蓋部材８２ｂなど複雑な構成でありコストが高くつくとともに、操作が煩雑になる。
【００９５】
また、ゴムまり部材本体８２として、市販・汎用されているゴムまりをそのまま使用することができず、汎用性に欠けることになる。
【００９６】
一方、特許文献３のゴムまり部材８０では、ゴムまり部材本体８２の空気導入口８２ａに合わせて、風船部材８４は、ノズル部材８８、先端部８８ｃ、複数の空気穴８８ｄなどを設けなければならず、複雑な構成でありコストが高くつくことになる。
【００９７】
本発明は、このような現状に鑑み、従来の一般的に販売されているループバンドを利用することが可能で、複数のループバンドを簡単な構造で、しかも容易に任意の長さに連結でき、コストも手間も低減でき、持ち運びにも便利なトレーニング用ベルトを提供することを目的とする。
【００９８】
また、本発明は、例えば、使用目的、使用部位、トレーニング方法、トレーニング強度、ループの強さ（負荷）など応じて、様々な長さのループバンドとして、簡単に使用可能なトレーニング用ベルトを提供することを目的とする。
【００９９】
また、本発明は、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することを目的とする。
【０１００】
また、本発明は、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト、および、ゴムまり部材を提供することを目的とする。
【０１０１】
また、本発明は、従来の特許文献２に記載のトレーニング用ベルト１０のスナップフィット型の第１の係止部材２０のように、雌形状係止部材５０と雄形状係止部材５６とを係止する際に、手指が雄形状係止部材５６の先端側にかかり、誤って手指を挟んだりすることがないトレーニング用ベルト、および、ゴムまり部材を提供することを目的とする。
【０１０２】
さらに、特許文献２に記載のトレーニング用ベルト１０のスナップフィット型の第１の係止部材２０にように、伸縮自在なベルト部材１２が、引っ張られている状態で、誤って雌形状係止部材５０と雄形状係止部材５６との係止状態を解除されることがないトレーニング用ベルト、および、ゴムまり部材を提供することを目的とする。
【０１０３】
また、本発明は、従来の特許文献３の第３の係止部材１３、係止部材本体１５のように複雑な構成でなく、簡単容易に別の輪形状の伸縮自在なベルト部材１２ｅを脱着自在に連結することが可能なトレーニング用ベルトを提供することを目的とする。
【０１０４】
また、本発明は、従来の特許文献３のゴムまり部材８０のように、ゴムまり部材本体８２の空気導入口８２ａとは別に、ゴムまり部材本体８２の開閉穴８２ｃを設ける必要がなく、ゴムまり部材本体８２として、市販・汎用されているゴムまりを、また、ノズル部材として、市販・汎用されているゴムまりに空気を注入する空気ポンプ用に使用する空気針を、そのまま使用することができ、汎用性に優れるとともに、簡単な構造で、コストも低減でき、操作が簡単で汎用性のあるトレーニング用ベルト、および、ゴムまり部材を提供することを目的とする。
【０１０５】
また、本発明は、ノズル部材として、市販・汎用されているゴムまりに空気を注入する空気ポンプ用に使用する空気針を使用することができ、操作が簡単で汎用性のあるトレーニング用ベルト、および、ゴムまり部材を提供することを目的とする。
【課題を解決するための手段】
【０１２８】
本発明は、前述したような従来技術における課題及び目的を達成するために発明されたものであって、本発明のトレーニング用ベルトは、
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したトレーニング用ベルトであって、
前記輪形状になったトレーニング用ベルトのベルト部材に、脱着自在に連結される少なくとも１個の第３の係止部材を備え、
前記第３の係止部材が、
前記輪形状になったトレーニング用ベルトのベルト部材に脱着自在に連結される係止部材本体と、
前記係止部材本体と脱着自在に連結されるとともに、別の輪形状の伸縮自在なベルト部材を脱着自在に連結するベルト連結部とを備え、
前記係止部材本体が、
前記輪形状になったトレーニング用ベルトのベルト部材を、脱着自在に挿着する第１のベルト挿着穴と、
前記別の輪形状の伸縮自在なベルト部材を、脱着自在に挿着する第２のベルト挿着穴と
を備え、
前記ベルト連結部が、フック型連結部材から構成され、
前記フック型連結部材には、一方の端部に鈎形状のフック本体が形成され、
前記フック型連結部材のベルト部材側には、前記別の輪形状の伸縮自在なベルト部材を脱着自在に挿入係止するベルト連結部材が備えられ、
前記ベルト連結部材には、前記別の輪形状の伸縮自在なベルト部材を脱着自在に挿入係止するためのベルト係合穴が形成され、
前記第３の係止部材の係止部材本体の第２のベルト挿着穴に、前記ベルト連結部のフック型連結部材のフック本体を係止することによって、
前記輪形状になったトレーニング用ベルトのベルト部材に、前記別の輪形状の伸縮自在なベルト部材を脱着自在に連結するように構成され、
前記ベルト連結部材には、
前記別の輪形状の伸縮自在なベルト部材の一端を脱着自在に挿入係止するための第１のベルト係合穴と、
前記別の輪形状の伸縮自在なベルト部材の他端を脱着自在に挿入係止するための第２のベルト係合穴とが形成されていることを特徴とする。
【０１２９】
このように構成することにって、輪形状になったトレーニング用ベルトのベルト部材に、脱着自在に連結される少なくとも１個の第３の係止部材を備えている。
【０１３０】
また、係止部材本体によって、輪形状になったトレーニング用ベルトのベルト部材に脱着自在に連結可能になっている。
【０１３１】
さらに、係止部材本体と脱着自在に連結されたベルト連結部によって、別の輪形状の伸縮自在なベルト部材を脱着自在に連結することができる。
【０１３２】
従って、例えば、後述する図１５に示したように、さらに、両足に、別の輪形状の伸縮自在なベルト部材を使用すれば、腕、足腰など総合的な運動、エクササイズを行うことができ極めて便利である。
【０１３３】
また、係止部材本体の第１のベルト挿着穴に、輪形状になったトレーニング用ベルトのベルト部材を、脱着自在に挿着することができる。
【０１３４】
一方、ベルト連結部のフック型連結部材のベルト連結部材のベルト係合穴に、別の輪形状の伸縮自在なベルト部材を脱着自在に挿入係止することができる。
【０１３５】
そして、第３の係止部材の係止部材本体の第２のベルト挿着穴に、ベルト連結部のフック型連結部材のフック本体を係止することによって、輪形状になったトレーニング用ベルトのベルト部材に、別の輪形状の伸縮自在なベルト部材を脱着自在に連結、取り外しが容易になり、極めて便利である。
【０１３６】
従って、従来の特許文献３の第３の係止部材１３、係止部材本体１５のように複雑な構成でなく、簡単容易に別の輪形状の伸縮自在なベルト部材１２ｅを脱着自在に連結することが可能なトレーニング用ベルトを提供することができる。
【０１３７】
また、本発明のトレーニング用ベルトは、
前記第３の係止部材が、一つの前記別の輪形状の伸縮自在なベルト部材に対して、二つ設けられ、
それぞれの第３の係止部材のベルト連結部材のベルト係合穴に、前記別の輪形状の伸縮自在なベルト部材の一端部が、それぞれ係止されるように構成されていることを特徴とする。
【０１３８】
このように構成することによって、第３の係止部材が、一つの前記別の輪形状の伸縮自在なベルト部材に対して、二つ設けられ、それぞれの第３の係止部材のベルト連結部材のベルト係合穴に、別の輪形状の伸縮自在なベルト部材の一端部を、それぞれ係止するだけで良いので、簡単容易に別の輪形状の伸縮自在なベルト部材１２ｅを脱着自在に連結することが可能なトレーニング用ベルトを提供することができる。
【０１３９】
また、本発明のトレーニング用ベルトは、
前記第３の係止部材が、一つの前記別の輪形状の伸縮自在なベルト部材に対して、二つ設けられ、
それぞれの第３の係止部材のベルト連結部材のベルト係合穴に、前記別の輪形状の伸縮自在なベルト部材の一端部が、それぞれ括り付け係止されるように構成されていることを特徴とする。
【０１４０】
このように構成することによって、第３の係止部材が、一つの前記別の輪形状の伸縮自在なベルト部材に対して、二つ設けられ、それぞれの第３の係止部材のベルト連結部材のベルト係合穴に、別の輪形状の伸縮自在なベルト部材の一端部を、それぞれ括り付け係止するだけで良いので、簡単容易に別の輪形状の伸縮自在なベルト部材１２ｅを脱着自在に連結することが可能なトレーニング用ベルトを提供することができる。
【０１４２】
このように構成することによって、第１のベルト係合穴に、別の輪形状の伸縮自在なベルト部材の一端を脱着自在に挿入係止するとともに、第２のベルト係合穴に、別の輪形状の伸縮自在なベルト部材の他端を脱着自在に挿入係止するだけで良いので、簡単容易に別の輪形状の伸縮自在なベルト部材１２ｅを脱着自在に連結することが可能なトレーニング用ベルトを提供することができる。
【０１４３】
また、本発明のトレーニング用ベルトは、
前記第１のベルト係合穴に、前記別の輪形状の伸縮自在なベルト部材の一端が、脱着自在に括り付け係止され、
前記第２のベルト係合穴に、前記別の輪形状の伸縮自在なベルト部材の他端が、脱着自在に括り付け係止されるように構成されていることを特徴とする。
【０１４４】
このように構成することによって、第１のベルト係合穴に、別の輪形状の伸縮自在なベルト部材の一端を脱着自在に括り付け係止するとともに、第２のベルト係合穴に、別の輪形状の伸縮自在なベルト部材の他端を脱着自在に括り付け係止するだけで良いので、簡単容易に別の輪形状の伸縮自在なベルト部材１２ｅを脱着自在に連結することが可能なトレーニング用ベルトを提供することができる。
【０１４５】
また、本発明のトレーニング用ベルトは、
前記第１のベルト係合穴の形状が、幅の異なるスリット穴形状であって、前記別の輪形状の伸縮自在なベルト部材の他端の拡径部が、スリット穴の細幅部に脱着自在に係止されるように構成されていることを特徴とする。
【０１４６】
このように構成することによって、第１のベルト係合穴の形状が、幅の異なるスリット穴形状であって、前記別の輪形状の伸縮自在なベルト部材の他端に拡径部を作製し、この拡径部をスリット穴の細幅部に脱着自在に係止されるように構成されているので、より簡単容易に別の輪形状の伸縮自在なベルト部材１２ｅを脱着自在に連結することが可能なトレーニング用ベルトを提供することができる。
【０１４７】
また、本発明のトレーニング用ベルトは、
前記第２のベルト係合穴の形状が、幅の異なるスリット穴形状であって、前記別の輪形状の伸縮自在なベルト部材の他端の拡径部が、スリット穴の細幅部に脱着自在に係止されるように構成されていることを特徴とする。
【０１４８】
このように構成することによって、第２のベルト係合穴の形状が、幅の異なるスリット穴形状であって、前記別の輪形状の伸縮自在なベルト部材の他端に拡径部を作製し、この拡径部をスリット穴の細幅部に脱着自在に係止されるように構成されているので、より簡単容易に別の輪形状の伸縮自在なベルト部材１２ｅを脱着自在に連結することが可能なトレーニング用ベルトを提供することができる。
【０１４９】
また、本発明のトレーニング用ベルトは、
前記第３の係止部材の係止部材本体の第２のベルト挿着穴の形状が、幅の異なるスリット穴形状であって、
前記第３の係止部材の係止部材本体の第２のベルト挿着穴の細幅部に、前記ベルト連結部のフック型連結部材のフック本体を係止することによって、
前記輪形状になったトレーニング用ベルトのベルト部材に、前記別の輪形状の伸縮自在なベルト部材を脱着自在に連結するように構成したことを特徴とする。
【０１５０】
このように構成することによって、第３の係止部材の係止部材本体の第２のベルト挿着穴の形状が、幅の異なるスリット穴形状であって、第３の係止部材の係止部材本体の第２のベルト挿着穴の細幅部に、ベルト連結部のフック型連結部材のフック本体を係止することができる。
【０１５１】
これにより、第３の係止部材の係止部材本体の第２のベルト挿着穴の細幅部に、ベルト連結部のフック型連結部材のフック本体を係止することができ、ベルト連結部のフック型連結部材のフック本体の抜け落ちが防止できる。
従って、輪形状になったトレーニング用ベルトのベルト部材に、別の輪形状の伸縮自在なベルト部材をより強固に脱着自在に連結することができる。
【０１５２】
また、本発明のゴムまり部材は、
前述のいずれかに記載のトレーニング用ベルトとともに用いるゴムまり部材であって、
前記ゴムまり部材が、ゴムまり部材本体を備え、
前記ゴムまり部材本体が、ゴムまり部材本体に、空気ポンプなどを用いて、ゴムまり部材本体の内部に空気を導入して、ゴムまり部材本体を膨らませるための空気導入口を備え、
前記ゴムまり部材が、前記ゴムまり部材本体の空気導入口に脱着自在に挿着される風船部材を備え、
前記風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の空気導入口に脱着自在に挿入され、
前記ノズル部材の先端部には、空気穴が形成されており、
前記ゴムまり部材本体に、前記トレーニング用ベルトを使用して、外部より圧力を加えることによって、ゴムまり部材本体内部の空気が、前記ノズル部材の先端部に形成された空気穴を介して、風船部材本体に移動して、風船部材本体が膨張するように構成されていることを特徴とする。
【０１５３】
また、本発明のゴムまり部材は、
ゴムまり部材本体を備えたゴムまり部材と、
前記ゴムまり部材本体が、ゴムまり部材本体の空気導入口を備え、
前記ゴムまり部材本体が、ゴムまり部材本体に、空気ポンプなどを用いて、ゴムまり部材本体の内部に空気を導入して、ゴムまり部材本体を膨らませるための空気導入口を備え、
風船部材が、
風船からなる風船部材本体と、
前記風船部材本体の空気口に装着されたノズル部材を備え、
前記ノズル部材の基端部が、前記風船部材本体の空気口に装着され、
前記ノズル部材の先端部が、前記ゴムまり部材本体の空気導入口に脱着自在に挿入され、
前記ノズル部材の先端部には、空気穴が形成されており、
前記ゴムまり部材本体に、トレーニング用ベルトを使用して、外部より圧力を加えることによって、ゴムまり部材本体内部の空気が、前記ノズル部材の先端部に形成された空気穴を介して、風船部材本体に移動して、風船部材本体が膨張するように構成されていることを特徴とする。
【０１５４】
このように構成することにって、ゴムまり部材を用いて、ゴムまり部材本体に、外部より圧力を加えることによって、ゴムまり部材本体の内部の空気が、ノズル部材先端部に形成された空気穴を介して、風船部材本体に移動して、風船部材本体が膨張する。
【０１５５】
一方、ゴムまり部材本体への外部より圧力を弱めることによって、ゴムまり部材本体の弾性によって、ゴムまり部材本体が膨張する方向に移動する。
【０１５６】
これにより、逆に、風船部材本体内の空気が、ノズル部材の先端部に形成された空気穴を介して、ゴムまり部材本体内に移動して、ゴムまり部材本体が膨張するとともに、風船部材本体が萎むように構成されている。
【０１５７】
このように構成することにって、例えば、脚の運動、握力の強化などの様々な運動、エクササイズにおいて、風船部材本体が膨らんだり、萎んだりするので、運動の目安となって極めて便利である。
【０１５８】
また、例えば、両股の間に、ゴムまり部材のゴムまり部材本体を挟んで、両股を閉じる運動をする際の、この運動の押圧力で、ゴムまり部材本体に、外部より圧力を加えることによって、ゴムまり部材本体内部の空気が、ノズル部材の先端部に形成された空気穴を介して、風船部材本体に移動して、風船部材本体が膨張する。
【０１５９】
そして、運動を停止して、例えば、今度は、両股を開く運動や、休憩している間に、風船部材本体の圧力によって、ノズル部材の先端部に形成された空気穴を介して、ゴムまり部材本体内部に空気が移動して、ゴムまり部材本体が再び膨張する。
【０１６０】
このような繰り返しで、ゴムまり部材による連続した運動が可能となる。
【０１６１】
また、ノズル部材の先端部を、ゴムまり部材本体の空気導入口に脱着自在に挿入するだけで良いので、従来の特許文献３のゴムまり部材８０のように、ゴムまり部材本体８２の空気導入口８２ａとは別に、ゴムまり部材本体８２の開閉穴８２ｃを設ける必要がなく、ゴムまり部材本体８２として、市販・汎用されているゴムまりを、また、ノズル部材として、市販・汎用されているゴムまりに空気を注入する空気ポンプ用に使用する空気針を、そのまま使用することができ、汎用性に優れるとともに、簡単な構造で、コストも低減でき、操作が簡単で汎用性のあるトレーニング用ベルト、および、ゴムまり部材を提供することができる。
【０１６２】
また、本発明のゴムまり部材は、前記風船部材の風船部材本体の空気口には、ノズル部材を脱着自在に装着するノズル装着部材が取り付けられていることを特徴とする。
【０１６３】
このように構成することにって、風船部材の風船部材本体の空気口には、ノズル部材を脱着自在に装着するノズル装着部材が取り付けられているので、ノズル部材として、市販・汎用されているゴムまりに空気を注入する空気ポンプ用に使用する空気針を使用することができ、操作が簡単で汎用性のあるトレーニング用ベルト、および、ゴムまり部材を提供することができる。
【０１６４】
また、本発明のゴムまり部材は、
前記ノズル部材の基端部には、雄ネジ部が形成され、
前記ノズル装着部材の先端部には、雌ネジ部が形成され、
前記ノズル部材の雄ネジ部と、ノズル装着部材の雌ネジ部を螺合することによって、前記風船部材の風船部材本体に、ノズル部材を脱着自在に装着することができるように構成されていることを特徴とする。
【０１６５】
このように構成することにって、ノズル部材の雄ネジ部と、ノズル装着部材の雌ネジ部を螺合することによって、前記風船部材の風船部材本体に、ノズル部材を脱着自在に装着することができるので、ノズル部材として、市販・汎用されているゴムまりに空気を注入する空気ポンプ用に使用する空気針を使用することができ、操作がより簡単で汎用性のあるトレーニング用ベルト、および、ゴムまり部材を提供することができる。
【発明の効果】
【０１６６】
本発明によれば、複数の輪形状の伸縮自在なベルト部材同士を、中間係止部材を介して、脱着自在に連結するようになっている。
【０１６７】
そして、中間係止部材で連結されたベルト部材の一方の端部に、第１の係止部材が脱着自在に連結される。
【０１６８】
また、中間係止部材で連結されたベルト部材の他方の端部に、第２の係止部材が、脱着自在に連結される。
【０１６９】
すなわち、第１の挿入係合部材のフック型係止部材のベルト部材側に備えられた、第１の挿入係合部材のスリットを介して、第１の挿入係合部材の第１のベルト係合穴に、ベルト部材を脱着自在に挿入係止することができる。
【０１７０】
また、第２の係止部材のスリットを介して、ベルト部材を第２の係止部材の第２のベルト係合穴に、ベルト部材を脱着自在に挿入係止することができる。
【０１７１】
この状態で、第１の係止部材のフック型係止部材のフック本体と、第２の係止部材のフック係合穴とを係止することによって、輪形状になるように構成されている。
【０１７２】
従って、従来の一般的に販売されているループバンドを、ベルト部材として利用することが可能で、複数のループバンド（ベルト部材）を簡単な構造で、しかも容易に任意の長さに脱着自在に連結でき、コストも手間も低減でき、持ち運びにも便利なトレーニング用ベルトを提供することができる。
【０１７３】
また、例えば、使用目的、使用部位、トレーニング方法、トレーニング強度、ループの強さ（負荷）など応じて、様々な長さのループバンドとして、簡単に使用可能なトレーニング用ベルトを提供することができる。
【０１７４】
さらに、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【０１７５】
また、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【０１７６】
また、第１の係止部材のフック型係止部材のフック本体と、第２の係止部材のフック係合穴とを係止するだけで、輪形状になるように構成されているので、簡単な構造で、しかも容易に任意の長さに脱着自在に連結でき、コストも手間も低減でき、持ち運びにも便利なトレーニング用ベルトを提供することができる。
【０１７７】
また、本発明によれば、従来の特許文献２に記載のトレーニング用ベルト１０のスナップフィット型の第１の係止部材２０のように、雌形状係止部材５０と雄形状係止部材５６とを係止する際に、手指が雄形状係止部材５６の先端側にかかり、誤って手指を挟んだりすることがない。
【０１７８】
さらに、本発明によれば、従来の特許文献２に記載のトレーニング用ベルト１０のスナップフィット型の第１の係止部材２０にように、伸縮自在なベルト部材１２が、引っ張られている状態で、誤って雌形状係止部材５０と雄形状係止部材５６との係止状態を解除されることがない。
【０１７９】
また、本発明によれば、輪形状になったトレーニング用ベルトのベルト部材に、脱着自在に連結される少なくとも１個の第３の係止部材を備えている。
【０１８０】
また、係止部材本体によって、輪形状になったトレーニング用ベルトのベルト部材に脱着自在に連結可能になっている。
【０１８１】
さらに、係止部材本体と脱着自在に連結されたベルト連結部によって、別の輪形状の伸縮自在なベルト部材を脱着自在に連結することができる。
【０１８２】
従って、例えば、後述する図１５に示したように、さらに、両足に、別の輪形状の伸縮自在なベルト部材を使用すれば、腕、足腰など総合的な運動、エクササイズを行うことができ極めて便利である。
【０１８３】
また、係止部材本体の第１のベルト挿着穴に、輪形状になったトレーニング用ベルトのベルト部材を、脱着自在に挿着することができる。
【０１８４】
一方、ベルト連結部のフック型連結部材のベルト連結部材のスリットを介して、ベルト係合穴に、別の輪形状の伸縮自在なベルト部材を脱着自在に挿入係止することができる。
【０１８５】
そして、第３の係止部材の係止部材本体の第２のベルト挿着穴に、ベルト連結部のフック型連結部材のフック本体を係止することによって、輪形状になったトレーニング用ベルトのベルト部材に、別の輪形状の伸縮自在なベルト部材を脱着自在に連結、取り外しが容易になり、極めて便利である。
【０１８６】
従って、従来の特許文献３の第３の係止部材１３、係止部材本体１５のように複雑な構成でなく、簡単容易に別の輪形状の伸縮自在なベルト部材１２ｅを脱着自在に連結することが可能なトレーニング用ベルトを提供することができる。
【０１８７】
また、本発明によれば、ゴムまり部材を用いて、ゴムまり部材本体に、外部より圧力を加えることによって、ゴムまり部材本体の内部の空気が、ノズル部材先端部に形成された空気穴を介して、風船部材本体に移動して、風船部材本体が膨張する。
【０１８８】
一方、ゴムまり部材本体への外部より圧力を弱めることによって、ゴムまり部材本体の弾性によって、ゴムまり部材本体が膨張する方向に移動する。
【０１８９】
これにより、逆に、風船部材本体内の空気が、ノズル部材の先端部に形成された空気穴を介して、ゴムまり部材本体内に移動して、ゴムまり部材本体が膨張するとともに、風船部材本体が萎むように構成されている。
【０１９０】
このように構成することにって、例えば、脚の運動、握力の強化などの様々な運動、エクササイズにおいて、風船部材本体が膨らんだり、萎んだりするので、運動の目安となって極めて便利である。
【０１９１】
また、例えば、両股の間に、ゴムまり部材のゴムまり部材本体を挟んで、両股を閉じる運動をする際の、この運動の押圧力で、ゴムまり部材本体に、外部より圧力を加えることによって、ゴムまり部材本体内部の空気が、ノズル部材の先端部に形成された空気穴を介して、風船部材本体に移動して、風船部材本体が膨張する。
【０１９２】
そして、運動を停止して、例えば、今度は、両股を開く運動や、休憩している間に、風船部材本体の圧力によって、ノズル部材の先端部に形成された空気穴を介して、ゴムまり部材本体内部に空気が移動して、ゴムまり部材本体が再び膨張する。
【０１９３】
このような繰り返しで、ゴムまり部材による連続した運動が可能となる。
【０１９４】
また、ノズル部材の先端部を、ゴムまり部材本体の空気導入口に脱着自在に挿入するだけで良いので、従来の特許文献３のゴムまり部材８０のように、ゴムまり部材本体８２の空気導入口８２ａとは別に、ゴムまり部材本体８２の開閉穴８２ｃを設ける必要がなく、ゴムまり部材本体８２として、市販・汎用されているゴムまりを、また、ノズル部材として、市販・汎用されているゴムまりに空気を注入する空気ポンプ用に使用する空気針を、そのまま使用することができ、汎用性に優れるとともに、簡単な構造で、コストも低減でき、操作が簡単で汎用性のあるトレーニング用ベルト、および、ゴムまり部材を提供することができる。
【図面の簡単な説明】
【０１９５】
【図１】図１は、本発明のトレーニング用ベルト１０の概略を模式的に示す分解斜視図である。
【図２】図２は、図１のトレーニング用ベルト１０の分解上面図である。
【図３】図３（Ａ）は、図１のトレーニング用ベルト１０の第１の係止部材２０であるフック型係止部材２２ａを示す部分拡大断面図、図３（Ｂ）は、図３（Ａ）のフック型係止部材２２ａの部分上面図である。
【図４】図４は、図１のトレーニング用ベルト１０を組み立てて、トレーニングのために、ゴムまりＣを両足Ｄの間に挟んだ状態を説明する断面図である。
【図５】図５は、本発明のトレーニング用ベルト１０のトレーニングの概略を模式的に示す概略図である。
【図６】図６は、本発明のトレーニング用ベルト１０のトレーニングの概略を模式的に示す概略図である。
【図７】図７は、本発明のトレーニング用ベルト１０のトレーニングの概略を模式的に示す概略図である。
【図８】図８は、本発明のトレーニング用ベルト１０のトレーニングの概略を模式的に示す概略図である。
【図９】図９は、本発明のトレーニング用ベルト１０のトレーニングの概略を模式的に示す概略図である。
【図１０】図１０は、本発明のトレーニング用ベルト１０のトレーニングの概略を模式的に示す概略図である。
【図１１】図１１は、本発明のトレーニング用ベルト１０のトレーニングの概略を模式的に示す概略図である。
【図１２】図１２は、本発明のトレーニング用ベルト１０の別の実施例の図４と同様な図１のトレーニング用ベルト１０を組み立てて、トレーニングのために、ゴムまりＣを両足Ｄの間に挟んだ状態を説明する断面図である。
【図１３】図１３は、第３の係止部材１３の分解斜視図である。
【図１４】図１４（Ａ）は、第３の係止部材１３の係止部材本体１５の正面図、図１４（Ｂ）は、第３の係止部材１３の係止部材本体１５の断面図である。
【図１５】図１５は、図１５は、本発明のトレーニング用ベルト１０のトレーニングの概略を模式的に示す概略図である。
【図１６】図１６は、本発明のトレーニング用ベルト１０の第３の係止部材１３の別の実施例の分解斜視図である。
【図１７】図１７は、本発明のトレーニング用ベルト１０の第３の係止部材１３の別の実施例の分解斜視図である。
【図１８】図１８は、図１７の第３の係止部材１３のベルト連結部１７の連結部材１９の図１７のＢ方向の矢視図である。
【図１９】図１９は、本発明のゴムまり部材８０の斜視図である。
【図２０】図２０は、本発明のゴムまり部材８０を用いて、本発明のトレーニング用ベルト１０を組み立てて、トレーニングのために、ゴムまり部材８０を両足Ｄの間に挟んだ状態を説明する断面図
【図２１】図２１は、本発明のゴムまり部材８０の風船部材８４の概略図である。
【図２２】図２２は、本発明の別の実施例を示す、ゴムまり部材８０を用いて、本発明のトレーニング用ベルト１０を組み立てて、トレーニングのために、ゴムまり部材８０を両足Ｄの間に挟んだ状態を説明する断面図である。
【図２３】図２３は、本発明のトレーニング用ベルト１０の別の実施例の部分分解上面図である。
【図２４】図２４は、本発明のゴムまり部材８０の風船部材８４の概略図である。
【図２５】図２５は、本発明のトレーニング用ベルト１０の第３の係止部材１３の別の実施例の分解斜視図である。
【図２６】図２６は、本発明のトレーニング用ベルト１０の第３の係止部材１３の別の実施例の分解斜視図である。
【図２７】図２７は、図２６の第３の係止部材１３のベルト連結部１７の連結部材１９の図１７のＢ方向の矢視図である。
【図２８】図２８は、本発明のトレーニング用ベルト１０の第３の係止部材１３の別の実施例の図２７と同様な矢視図である。
【図２９】図２９は、本発明のトレーニング用ベルト１０の別の実施例の部分分解上面図である。
【図３０】図３０は、図２９のトレーニング用ベルト１０の組み立てた状態の断面図である。
【図３１】図３１は、本発明のトレーニング用ベルト１０の別の実施例の部分分解図である。
【図３２】図３２は、図３１のトレーニング用ベルト１０の組み立てた状態の断面図である。
【図３３】図３３は、本発明のトレーニング用ベルト１０の第１の係止部材２０であるバックル型係止部材２２の別の実施例を示す部分拡大断面図である。
【図３４】図３４は、特許文献１に示されているトレーニングツールの斜視図である。
【図３５】図３５は、特許文献２のトレーニング用ベルト１０の概略を模式的に示す分解斜視図である。
【図３６】図３６は、図３５のトレーニング用ベルト１０の分解上面図である。
【図３７】図３７は、図３５のトレーニング用ベルト１０の第１の係止部材２０であるバックル型係止部材２２を示す部分拡大断面図である。
【図３８】図３８は、図３５のトレーニング用ベルト１０を組み立てて、トレーニングのために、ゴムまりＣを両足Ｄの間に挟んだ状態を説明する断面図である。
【図３９】図３９は、特許文献３のトレーニング用ベルト１０を組み立てて、トレーニングのために、ゴムまりＣを両足Ｄの間に挟んだ状態を説明する断面図である。
【図４０】図４０は、第３の係止部材１３の分解斜視図である。
【図４１】図４１（Ａ）は、第３の係止部材１３の係止部材本体１５の正面図、図４１（Ｂ）は、第３の係止部材１３の係止部材本体１５の平面図、図４１（Ｃ）は、第３の係止部材１３の係止部材本体１５の断面図である。
【図４２】図４２は、特許文献３のゴムまり部材８０の斜視図である。
【図４３】図４３は、特許文献３のゴムまり部材８０を用いて、特許文献３のトレーニング用ベルト１０を組み立てて、トレーニングのために、ゴムまり部材８０を両足Ｄの間に挟んだ状態を説明する断面図である。
【図４４】図４４は、特許文献２のトレーニング用ベルト１０の部分分解上面図である。
【発明を実施するための形態】
【０１９６】
以下、本発明の実施の形態（実施例）を図面に基づいてより詳細に説明する。
（実施例１）
【０１９７】
図１は、本発明のトレーニング用ベルト１０の概略を模式的に示す分解斜視図、図２は、図１のトレーニング用ベルト１０の分解上面図、図３（Ａ）は、図１のトレーニング用ベルト１０の第１の係止部材２０であるフック型係止部材２２ａを示す部分拡大断面図、図３（Ｂ）は、図３（Ａ）のフック型係止部材２２ａの部分上面図、図３（Ｃ）は、第１の係止部材２０のフック型係止部材２２ａのフック本体２４ａと、第２の係止部材３０のフック係合穴３２とを係止した状態を説明する部分拡大断面図、図４は、図１のトレーニング用ベルト１０を組み立てて、トレーニングのために、ゴムまりＣを両足Ｄの間に挟んだ状態を説明する断面図、図５〜図１１は、本発明のトレーニング用ベルト１０のトレーニングの概略を模式的に示す概略図である。
【０１９８】
図１〜図４において、符号１０は、全体で本発明のトレーニング用ベルト１０を示している。
【０１９９】
本発明のトレーニング用ベルト１０は、例えば、ゴムなどの伸縮自在なベルトから構成されるトレーニング用ベルトである。
【０２００】
具体的には、本発明のトレーニング用ベルト１０は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニングに使用する、例えば、ゴムなどの伸縮自在なベルトから構成されるトレーニング用ベルト１０である。
【０２０１】
図１〜図４に示したように、複数の（この実施例では、２つの）、例えば、ゴムなどの伸縮自在な輪形状のベルト部材１２（この実施例では、第１のベルト部材１２ａ、第２のベルト部材１２ｂ）を備えている。
【０２０２】
なお、この伸縮自在なベルト部材１２の、長さ（周長）、数などは、例えば、トレーニングする部位、トレーニング方法、被トレーニング者の体格などに応じて、適宜変更することが可能である。また、ベルト部材１２を、例えば、二重、三重にするなどその強さを変更することはもちろん可能である。
【０２０３】
さらに、複数種類の負荷の相違するベルト部材１２を複数種類重ねて、運動の負荷を自由に調整することも可能である。
【０２０４】
また、これらのベルト部材１２（第１のベルト部材１２ａ、第２のベルト部材１２ｂ）同士を、脱着自在に連結する中間係止部材１４を備えている。
【０２０５】
図１〜図３に示したように、中間係止部材１４は、中間係止部材１４の中央部分に形成された係止バー本体１４ａを備えている。そして、係止バー本体１４ａの両端から、延設部１４ｂを介して、一定間隔離間するようにそれぞれ延設された、第１の係止バー部材１４ｃと第２の係止バー部材１４ｄを備えている。
【０２０６】
また、係止バー本体１４ａと第１の係止バー部材１４ｃとに囲まれた部分に、第１の係止穴１６ａが形成されている。そして、第１の係止穴１６ａには、複数のベルト部材１２の一方の端部の第１のベルト部材１２ａを脱着自在に挿入係合するための第１のスリット１８ａが形成されている。
【０２０７】
一方、係止バー本体１４ａと第２の係止バー部材１４ｄとに囲まれた部分に、第２の係止穴１６ｂが形成されている。そして、第２の係止穴１６ｂには、複数のベルト部材１２の他方の端部の第２のベルト部材１２ｂを脱着自在に挿入係合するための第２のスリット１８ｂが形成されている。
【０２０８】
このように構成することによって、図１の矢印で示したように、係止バー本体１４ａと第１の係止バー部材１４ｃとに囲まれた部分に形成された第１の係止穴１６ａに、第１のスリット１８ａを介して、複数のベルト部材１２の一方の端部のベルト部材１２ａを脱着自在に挿入係合することができる。
【０２０９】
そして、図１の矢印で示したように、係止バー本体１４ａと第２の係止バー部材１４ｄとに囲まれた部分に形成された第２の係止穴１６ｂに、第２のスリット１８ｂを介して、複数のベルト部材１２の他方の端部のベルト部材１２ｂを脱着自在に挿入係合することができる。
【０２１０】
このようにして、複数のベルト部材１２同士（この実施例では、第１のベルト部材１２ａ、第２のベルト部材１２ｂ）を、簡単容易に、脱着自在に連結することができる。
【０２１１】
従って、従来の一般的に販売されているループバンドを、ベルト部材１２として利用することが可能で、複数のループバンド（ベルト部材１２）を簡単な構造で、しかも容易に任意の長さに脱着自在に連結でき、コストも手間も低減でき、持ち運びにも便利なトレーニング用ベルト１０を提供することができる。
【０２１２】
さらに、中間係止部材１４で連結されたベルト部材１２の一方の端部（第１のベルト部材１２ａの一方の端部１２ｃ）に、脱着自在に連結される第１の係止部材２０を備えている。
【０２１３】
図１〜図４に示したように、この実施例では、第１の係止部材２０が、フック型係止部材２２ａから構成されている。
【０２１４】
このフック型係止部材２２ａは、図３に示したような構造のものを使用している。
【０２１５】
具体的には、図３に示したように、フック型係止部材２２ａは、一方の端部に鈎形状のフック本体２４ａが形成されている。
【０２１６】
また、フック型係止部材２２ａのベルト部材１２ａ側（第１のベルト部材１２ａの一方の端部１２ｃ側）には、ベルト部材１２ａを脱着自在に挿入係止する第１の挿入係合部材２６ａが備えられている。
【０２１７】
そして、第１の挿入係合部材２６ａには、ベルト部材１２ａを脱着自在に挿入係止するためのスリット２６ｂを備えた第１のベルト係合穴２８ａが形成されている。
【０２１８】
このように構成することによって、フック型係止部材２２ａのベルト部材１２側に備えられた、第１の挿入係合部材２６ａのスリット２６ｂを介して、第１の挿入係合部材２６ａの第１のベルト係合穴２８ａに、ベルト部材１２ａを脱着自在に挿入係止することができるように構成されている。
【０２１９】
一方、中間係止部材１４で連結されたベルト部材１２の他方の端部（第２のベルト部材１２ｂの他方の端部１２ｄ）に、脱着自在に連結される第２の係止部材３０を備えている。
【０２２０】
そして、第２の係止部材３０には、一方の端部に、フック型係止部材２２ａのフック本体２４ａが係合するフック係合穴３２が形成されている。また、第２の係止部材３０には、ベルト部材１２の他方の端部（第２のベルト部材１２ｂの他方の端部１２ｄ）を脱着自在に挿入係止するためのスリット３４ａを備えた第２のベルト係合穴３４ｂが形成されている。
【０２２１】
このように構成することによって、第２の係止部材３０のベルト部材１２側に備えられた、第２の係止部材３０のスリット３４ａを介して、第２の係止部材３０の第２のベルト係合穴３４ｂに、ベルト部材１２ｂを脱着自在に挿入係止することができるように構成されている。
【０２２２】
このように構成することによって、第１の係止部材２０のフック型係止部材２２ａのフック本体２４ａと、第２の係止部材３０のフック係合穴３２とを係止することによって、輪形状になるように構成されている。
【０２２３】
このように構成される本発明のトレーニング用ベルト１０によれば、図１の矢印で示したように、複数の輪形状の伸縮自在なベルト部材１２（この実施例の場合には、第１のベルト部材１２ａ、第２のベルト部材１２ｂ）同士を、中間係止部材１４を介して、脱着自在に連結するようになっている。
【０２２４】
すなわち、係止バー本体１４ａと第１の係止バー部材１４ｃとに囲まれた部分に形成された第１の係止穴１６ａに、第１のスリット１８ａを介して、複数のベルト部材１２の一方の端部のベルト部材１２ａを脱着自在に挿入係合することができる。
【０２２５】
そして、係止バー本体１４ａと第２の係止バー部材１４ｄとに囲まれた部分に形成された第２の係止穴１６ｂに、第２のスリット１８ｂを介して、複数のベルト部材１２の他方の端部のベルト部材１２ｂを脱着自在に挿入係合することができる。
【０２２６】
このようにして、複数のベルト部材１２同士（この実施例では、第１のベルト部材１２ａ、第２のベルト部材１２ｂ）を、簡単容易に、脱着自在に連結することができる。
【０２２７】
そして、中間係止部材１４で連結されたベルト部材１２の一方の端部（第１のベルト部材１２ａの一方の端部１２ｃ側）に、第１の係止部材２０が脱着自在に連結される。
【０２２８】
また、中間係止部材１４で連結されたベルト部材１２の他方の端部（第２のベルト部材１２ｂの他方の端部１２ｄ）に、第２の係止部材３０が、脱着自在に連結される。
【０２２９】
すなわち、フック型係止部材２２ａのベルト部材１２側（第１のベルト部材１２ａの一方の端部１２ｃ側）に備えられた、第１の挿入係合部材２６ａのスリット２６ｂを介して、第１の挿入係合部材２６ａの第１のベルト係合穴２８ａに、ベルト部材１２を脱着自在に挿入係止することができる。
【０２３０】
また、第２の係止部材３０のベルト部材１２側（第２のベルト部材１２ｂの他方の端部１２ｄ側）に備えられた、第２の係止部材３０のスリット３４ａを介して、第２の係止部材３０の第２のベルト係合穴３４ｂに、ベルト部材１２ｂを脱着自在に挿入係止することができる。
【０２３１】
この状態で、第１の係止部材２０であるフック型係止部材２２ａと、第２の係止部材３０とを、図３（Ａ）（Ｂ）の矢印Ａで示したように、係止することによって、輪形状になるように構成されている（図３（Ｃ）参照）。
【０２３２】
すなわち、第１の係止部材２０のフック型係止部材２２ａのフック本体２４ａと、第２の係止部材３０のフック係合穴３２とを係止することによって、輪形状になるように構成されている。
【０２３３】
従って、従来の一般的に販売されているループバンドを、ベルト部材１２として利用することが可能で、複数のループバンド（ベルト部材１２）を簡単な構造で、しかも容易に任意の長さに脱着自在に連結でき、コストも手間も低減でき、持ち運びにも便利なトレーニング用ベルト１０を提供することができる。
【０２３４】
また、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０２３５】
さらに、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【０２３６】
また、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
【０２３７】
また、第１の係止部材２０のフック型係止部材２２ａのフック本体２４ａと、第２の係止部材３０のフック係合穴３２とを係止するだけで、輪形状になるように構成されているので、簡単な構造で、しかも容易に任意の長さに脱着自在に連結でき、コストも手間も低減でき、持ち運びにも便利なトレーニング用ベルトを提供することができる。
【０２３８】
このように構成される本発明のトレーニング用ベルト１０は、例えば、図４に示したように、トレーニング用ベルト１０を組み立てて、トレーニングのために、ゴムまりＣを両足Ｄ（例えば、太もも）の間に挟んだ状態で、トレーニングすることができる。
【０２３９】
すなわち、図４の矢印Ｅで示した方向に、両足Ｄを外に開く方向に負荷かけたり、図４の矢印Ｆで示した方向に、ゴムまりＣを圧縮することによって、負荷かけたりすることによって、足全体のトレーニングに供することができる。
【０２４０】
このようなトレーニングの他、図５〜図１１に示したような、以下のようなトレーニング方法に用いることができる。
【０２４１】
なお、トレーニング方法としては、何らこれに限定されるものではなく、種々のトレーニング方法に適用することが可能である。
【０２４２】
例えば、図５に示したように、いわゆる「二の腕シェイプ」、すなわち、片方のトレーニング用ベルト１０の一端を足で踏み、肘を支点として、腕を後方へ持ち上げて伸ばし、ゆっくり戻すトレーニングに適用できる。
【０２４３】
また、図６に示したように、いわゆる「お腹回りシェイプ」、すなわち、片方のトレーニング用ベルト１０の一端を足で踏み、上半身を横方向に傾けて、伸ばし、ゆっくり戻すトレーニングに適用できる。
【０２４４】
また、図７に示したように、いわゆる「椅子を用いた足部シェイプ」、すなわち、椅子に座った状態で、片足を曲げて、片方のトレーニング用ベルト１０の一端を足の裏側に掛けて、ゆっくり戻すトレーニングに適用できる。
【０２４５】
また、図８に示したように、いわゆる「足部シェイプ」、すなわち、体を横たえた状態で、両足にトレーニング用ベルト１０を掛けて、伸ばし、ゆっくり戻すトレーニングに適用できる。
【０２４６】
また、その他、図９（Ａ）〜図１１（Ｂ）に示したような、種々のトレーニングに適用できる。なお、そのトレーニングの詳細については、図示で容易に理解できるので、その説明を省略する。
【０２４７】
さらに、このようなトレーニング以外に、図示しないが、例えば、椅子に着座した状態で、手と足との間に掛け渡して行うトレーニング、椅子に着座した状態で、両足のふくらはぎ、足首などに掛け渡して行うトレーニングなど、その他の様々なトレーニングに使用可能であって、何らトレーニング方法について限定されるものではない。
【０２４８】
また、その他、スポーツ団体や、各種団体（クラブ活動など）の移動用バス内でのトレーニングなどに使用することができる。
（実施例２）
【０２４９】
図１２は、本発明のトレーニング用ベルト１０の別の実施例の図４と同様な図１のトレーニング用ベルト１０を組み立てて、トレーニングのために、ゴムまりＣを両足Ｄの間に挟んだ状態を説明する断面図、図１３は、第３の係止部材１３の分解斜視図、図１４（Ａ）は、第３の係止部材１３の係止部材本体１５の正面図、図１４（Ｂ）は、第３の係止部材１３の係止部材本体１５の断面図、図１５は、本発明のトレーニング用ベルト１０のトレーニングの概略を模式的に示す概略図である。
【０２５０】
この実施例のトレーニング用ベルト１０は、図１〜図１１に示した実施例１のトレーニング用ベルト１０と基本的には同様な構成であり、同一の構成部材には、同一の参照番号を付して、その詳細な説明を省略する。
【０２５１】
図１２に示したように、この実施例のトレーニング用ベルト１０では、前述の実施例に示したように、輪形状になったトレーニング用ベルト１０のベルト部材１２に、さらに、脱着自在に連結される少なくとも１個の（この実施例では、左右一対２個、図１２に示したように、合計４個の）の第３の係止部材１３を備えている。
【０２５２】
すなわち、図１２〜図１４（Ｂ）に示したように、第３の係止部材１３は、前述の実施例に示したように、輪形状になったトレーニング用ベルト１０のベルト部材１２に、さらに、脱着自在に連結される係止部材本体１５を備えている。
【０２５３】
係止部材本体１５は、図１２〜図１４（Ｂ）に示したように、輪形状になったトレーニング用ベルト１０のベルト部材１２を、脱着自在に挿着する第１のベルト挿着穴１５ｆが形成されている。
【０２５４】
また、この第１のベルト挿着穴１５ｆの上部には、別の輪形状の伸縮自在なベルト部材１２ｅを、脱着自在に挿着する略楕円形状の第２のベルト挿着穴１５ｇが形成されている。
【０２５５】
また、図１３に示したように、第３の係止部材１３は、別の輪形状の伸縮自在なベルト部材１２ｅを脱着自在に連結するベルト連結部１７を備えている。
【０２５６】
そして、ベルト連結部１７は、係止部材本体１５と脱着自在に連結されるように構成されている。すなわち、この実施例の場合には、図１３に示したように、ベルト連結部１７は、フック型連結部材となっており、一方の端部に鈎形状のフック本体１７ｃが形成されている。
【０２５７】
また、ベルト連結部１７のベルト部材側、すなわち、別の輪形状の伸縮自在なベルト部材１２ｅ側には、ベルト部材１２ｅを脱着自在に挿入係止するベルト連結部材１９ｃが備えられている。
【０２５８】
すなわち、ベルト連結部材１９ｃには、別の輪形状の伸縮自在なベルト部材１２ｅを脱着自在に挿入係止するためのベルト係合穴２１ｂが形成されている。
【０２５９】
そして、図１３の矢印で示したように、第３の係止部材１３の係止部材本体１５の第２のベルト挿着穴１５ｇに、ベルト連結部１７のフック型連結部材のフック本体１７ｃを係止する。
これによって、図１２に示したように、輪形状になったトレーニング用ベルト１０のベルト部材１２に、別の輪形状の伸縮自在なベルト部材１２ｅを脱着自在に連結するように構成されている。
【０２６０】
このように構成することにって、輪形状になったトレーニング用ベルト１０のベルト部材１２に、脱着自在に連結される第３の係止部材１３を備えている。
【０２６１】
また、係止部材本体１５によって、輪形状になったトレーニング用ベルト１０のベルト部材１２に脱着自在に連結可能になっている。
【０２６２】
さらに、係止部材本体１５と脱着自在に連結されたベルト連結部１７によって、別の輪形状の伸縮自在なベルト部材１２ｅを脱着自在に連結することができる。
【０２６３】
従って、例えば、後述する図１５に示したように、さらに、両足に、別の輪形状の伸縮自在なベルト部材を使用すれば、腕、足腰など総合的な運動、エクササイズを行うことができ極めて便利である。
【０２６４】
また、係止部材本体１５の第１のベルト挿着穴１５ｆに、輪形状になったトレーニング用ベルト１０のベルト部材１２を、脱着自在に挿着することができる。
【０２６５】
一方、ベルト連結部１７のフック型連結部材のベルト連結部材１９ｃのベルト係合穴２１ｂに、別の輪形状の伸縮自在なベルト部材１２ｅを脱着自在に挿入係止することができる。
【０２６６】
そして、第３の係止部材１３の係止部材本体１５の第２のベルト挿着穴１５ｇに、ベルト連結部１７のフック型連結部材のフック本体１７ｃを係止することによって、輪形状になったトレーニング用ベルト１０のベルト部材１２に、別の輪形状の伸縮自在なベルト部材１２ｅを脱着自在に連結、取り外しが容易になり、極めて便利である。
【０２６７】
従って、従来の特許文献３の第３の係止部材１３、係止部材本体１５のように複雑な構成でなく、簡単容易に別の輪形状の伸縮自在なベルト部材１２ｅを脱着自在に連結することが可能なトレーニング用ベルト１０を提供することができる。
【０２６８】
さらに、この実施例の場合には、図１２に示したように、この実施例のトレーニング用ベルト１０では、第３の係止部材１３が、一つの別の輪形状の伸縮自在なベルト部材１２ｅに対して、二つ設けられている。
【０２６９】
そして、それぞれの第３の係止部材１３のベルト連結部材１９ｃのベルト係合穴２１ｂに、別の輪形状の伸縮自在なベルト部材１２ｅの一端部１２ｆ（１２ｇ）が、それぞれ係止されるように構成されている。
【０２７０】
このように構成することによって、第３の係止部材１３が、一つの別の輪形状の伸縮自在なベルト部材１２ｅに対して、二つ設けられている。
【０２７１】
そして、それぞれの第３の係止部材１３のベルト連結部材１９ｃのベルト係合穴２１ｂに、別の輪形状の伸縮自在なベルト部材１２ｅの一端部１２ｆ（１２ｇ）を、それぞれ係止するだけで良いので、簡単容易に別の輪形状の伸縮自在なベルト部材１２ｅを脱着自在に連結することが可能なトレーニング用ベルト１０を提供することができる。
【０２７２】
なお、この実施例では、図１２に示したように、第３の係止部材１３が、一つの別の輪形状の伸縮自在なベルト部材１２ｅに対して、二つ設けられている。
【０２７３】
そして、図１２、図１３に示したように、それぞれの第３の係止部材１３のベルト連結部材１９ｃのベルト係合穴２１ｂに、別の輪形状の伸縮自在なベルト部材１２ｅの一端部１２ｆ（１２ｇ）が、それぞれ括り付け係止されるように構成されている。
【０２７４】
なお、この場合、括り付け係止する方法として、図１２、図１３に示したように、紐を結ぶように括り付ける以外にも、図示しないが、例えば、ベルト部材１２ｅの一端部１２ｆ、１２ｇを、ベルト連結部材１９ｃのベルト係合穴２１ｂに挿入して、折り返して溶着、接着、縫い付けなどによって括り付ける方法などを採用することができ、何ら限定されるものではない。
【０２７５】
このように構成することによって、第３の係止部材１３が、一つの別の輪形状の伸縮自在なベルト部材１２ｅに対して、二つ設けられている。
【０２７６】
そして、それぞれの第３の係止部材１３のベルト連結部材１９ｃのベルト係合穴２１ｂに、別の輪形状の伸縮自在なベルト部材１２ｅの一端部１２ｆ（１２ｇ）を、それぞれ括り付け係止するだけで良いので、簡単容易に別の輪形状の伸縮自在なベルト部材１２ｅを脱着自在に連結することが可能なトレーニング用ベルト１０を提供することができる。
（実施例３）
【０２７７】
図１６は、本発明のトレーニング用ベルト１０の第３の係止部材１３の別の実施例の分解斜視図である。
【０２７８】
この実施例のトレーニング用ベルト１０は、図１２〜図１５に示した実施例２のトレーニング用ベルト１０と基本的には同様な構成であり、同一の構成部材には、同一の参照番号を付して、その詳細な説明を省略する。
【０２７９】
図１６に示したように、この実施例のトレーニング用ベルト１０では、ベルト連結部１７のベルト連結部材１９ｃには、別の輪形状の伸縮自在なベルト部材１２ｅの一端部１２ｆ（１２ｇ）を脱着自在に挿入係止するための第１のベルト係合穴２３が形成されている。
【０２８０】
また。ベルト連結部１７の連結部材１９には、別の輪形状の伸縮自在なベルト部材１２ｅの他端部１２ｆ（１２ｇ）を脱着自在に挿入係止するための第２のベルト係合穴２５が形成されている。
【０２８１】
このように構成することによって、第１のベルト係合穴２３に、別の輪形状の伸縮自在なベルト部材１２ｅの一端部１２ｆを脱着自在に挿入係止するとともに、第２のベルト係合穴２５に、別の輪形状の伸縮自在なベルト部材１２ｅの他端部１２ｇを脱着自在に挿入係止するだけで良いので、簡単容易に別の輪形状の伸縮自在なベルト部材１２ｅを脱着自在に連結することが可能なトレーニング用ベルト１０を提供することができる。
【０２８２】
また、この実施例では、図１６に示したように、第１のベルト係合穴２３に、別の輪形状の伸縮自在なベルト部材１２ｅの一端部１２ｆ（１２ｇ）が、脱着自在に括り付け係止される。
【０２８３】
そして、第２のベルト係合穴２５に、別の輪形状の伸縮自在なベルト部材１２ｅの他端部１２ｆ（１２ｇ）が、脱着自在に括り付け係止されるように構成されている。
【０２８４】
このように構成することによって、第１のベルト係合穴２３に、別の輪形状の伸縮自在なベルト部材１２ｅの一端部１２ｆ（１２ｇ）を脱着自在に括り付け係止するとともに、第２のベルト係合穴に、第２のベルト係合穴２５に、別の輪形状の伸縮自在なベルト部材１２ｅの他端部１２ｆ（１２ｇ）を脱着自在に括り付け係止するだけで良いので、簡単容易に別の輪形状の伸縮自在なベルト部材１２ｅを脱着自在に連結することが可能なトレーニング用ベルト１０を提供することができる。
【０２８５】
なお、この場合、括り付け係止する方法として、図１６に示したように、紐を結ぶように括り付ける以外にも、図示しないが、例えば、ベルト部材１２ｅの一端部１２ｆ（１２ｇ）を、ベルト連結部材１９ｃの第１のベルト係合穴２３、第２のベルト係合穴２５に挿入して、折り返して溶着、接着、縫い付けなどによって括り付ける方法などを採用することができ、何ら限定されるものではない。
【０２８６】
さらに、この場合、この実施例のトレーニング用ベルト１０では、第２のベルト係合穴２５の形状が、幅の異なるスリット穴形状、すなわち、この実施例では、略鍵穴形状の細幅部２５ａと太幅部２５ｂとから構成されている。
【０２８７】
そして、別の輪形状の伸縮自在なベルト部材１２ｅの他端部１２ｆ（１２ｇ）が、スリット穴の細幅部２５ａの部分に脱着自在に係止されるように構成されている。
【０２８８】
このように構成することによって、第２のベルト係合穴２５の形状が、幅の異なるスリット穴形状、すなわち、細幅部２５ａと太幅部２５ｂとから構成される。
【０２８９】
これにより、図１６に示したように、別の輪形状の伸縮自在なベルト部材１２ｅの他端部１２ｆ（１２ｇ）に拡径部２７ａを作製し、この拡径部２７ａを第２のベルト係合穴２５に、太幅部２５ｂから挿入して、第２のベルト係合穴２５のスリット穴の細幅部２５ａに脱着自在に係止されるように構成されている。
【０２９０】
従って、簡単容易に別の輪形状の伸縮自在なベルト部材１２ｅを脱着自在に連結することが可能なトレーニング用ベルト１０を提供することができる。
【０２９１】
なお、この場合、拡径部２７ａを作製する方法としては、例えば、紐を結ぶように作製した結び目、別の部材から構成される拡径部材を、別の輪形状の伸縮自在なベルト部材１２ｅの他端部１２ｆ（１２ｇ）に固着する方法などが採用でき、特に限定されるものではない。
【０２９２】
また、図１６に示したように、第３の係止部材１３の係止部材本体１５は、第１のベルト挿着穴１５ｆの短手方向両側に上方に延設された側板部１５ｂ、１５ｃと、これらの側板部１５ｂ、１５ｃと接合された係止部１１ｂとから構成されている。
【０２９３】
そして、これらの側板部１５ｂ、１５ｃと係止部１１ｂで囲まれた部分が、別の輪形状の伸縮自在なベルト部材１２ｅを、脱着自在に挿着する略矩形形状の第２のベルト挿着穴１５ｇが形成されている。
【０２９４】
そして、図１６に示したように、第３の係止部材１３の係止部材本体１５の第２のベルト挿着穴１５ｇに、ベルト連結部１７のフック型連結部材のフック本体１７ｃを係止する。
これによって、前述の図１２に示したように、輪形状になったトレーニング用ベルト１０のベルト部材１２に、別の輪形状の伸縮自在なベルト部材１２ｅを脱着自在に連結するように構成されている。
【０２９５】
なお、図示しないが、第１のベルト係合穴２３の楕円形状を小さくして、第１のベルト係合穴２３の周囲の強度を向上させることが望ましい。
【０２９６】
また、第３の係止部材１３の係止部材本体１５の第２のベルト挿着穴１５ｇに、ベルト連結部１７のフック型連結部材のフック本体１７ｃを係止した際に、第２のベルト挿着穴１５ｇの残りの空間が出来るだけ小さくなるようにして、フック本体１７ｃが、第２のベルト挿着穴１５ｇから容易に抜け落ちないようにするのが望ましい。
（実施例４）
【０２９７】
図１７は、本発明のトレーニング用ベルト１０の第３の係止部材１３の別の実施例の分解斜視図、図１８は、図１７の第３の係止部材１３のベルト連結部１７の連結部材１９の図１７のＢ方向の矢視図である。
【０２９８】
この実施例のトレーニング用ベルト１０は、図１６に示した実施例３のトレーニング用ベルト１０と基本的には同様な構成であり、同一の構成部材には、同一の参照番号を付して、その詳細な説明を省略する。
【０２９９】
図１６に示した実施例３のトレーニング用ベルト１０では、第１のベルト係合穴２３と、第２のベルト係合穴２５が、ベルト連結部１７の略平板形状の連結部材１９の同一平面に形成されている。
【０３００】
これに対して、図１７〜図１８に示したように、この実施例のトレーニング用ベルト１０では、ベルト連結部１７の略平板形状の連結部材１９の一部分に、鈎形状のフック本体１７ｃと反対方向に突出するように、屈曲部２７が形成されている。
【０３０１】
そして、この屈曲部２７に、第２のベルト係合穴２５が形成され、第２のベルト係合穴２５の形状が、幅の異なるスリット穴形状、すなわち、細幅部２５ａと太幅部２５ｂとから構成される。
なお、この実施例では、図１８に示したように、第２のベルト係合穴２５の幅が、徐々に狭くなるように形成することによって、細幅部２５ａと太幅部２５ｂとが形成されるようになっている。
【０３０２】
このように構成されるトレーニング用ベルト１０では、図１７〜図１８に示したように、別の輪形状の伸縮自在なベルト部材１２ｅの他端部１２ｆ（１２ｇ）に拡径部２７ａを作製し、この拡径部２７ａを第２のベルト係合穴２５に、太幅部２５ｂから挿入して、第２のベルト係合穴２５のスリット穴の細幅部に２５ａに脱着自在に係止するのがより簡単になる。
【０３０３】
従って、より簡単容易に別の輪形状の伸縮自在なベルト部材１２ｅを脱着自在に連結することが可能なトレーニング用ベルト１０を提供することができる。
【０３０４】
また、この実施例では、図１７〜図１８に示したように、ベルト連結部１７の基端部に拡大球形部１７ｄが形成されており、これにより、ベルト部材１２ｅの一端部１２ｆ（１２ｇ）を、第１のベルト係合穴２３に挿入して、例えば、括り付けるなどで、係止することがより強固に行われるように構成されている。
（実施例５）
【０３０５】
図１９は、本発明のゴムまり部材８０の斜視図、図２０は、本発明のゴムまり部材８０を用いて、本発明のトレーニング用ベルト１０を組み立てて、トレーニングのために、ゴムまり部材８０を両足Ｄの間に挟んだ状態を説明する断面図である。
【０３０６】
この実施例のトレーニング用ベルト１０は、図１〜図１８に示した実施例のトレーニング用ベルト１０と基本的には同様な構成であり、同一の構成部材には、同一の参照番号を付して、その詳細な説明を省略する。
【０３０７】
図１９に示したように、本発明のゴムまり部材８０は、周知の形状のゴムまりから構成されるゴムまり部材本体８２を備えている。
【０３０８】
ゴムまり部材本体８２には、周知の構成の空気導入口８２ａが形成されている。
【０３０９】
そして、ゴムまり部材８０は、ゴムまり部材本体８２の空気導入口８２ａに脱着自在に挿着される風船部材８４を備えている。また、風船部材８４は、周知の風船からなる風船部材本体８６を備えている。
【０３１０】
また、図１９に示したように、風船部材８４は、風船部材本体８６の空気口８６ａに装着されたノズル部材８８を備えている。
【０３１１】
そして、ノズル部材８８は、ノズル部材８８の基端部８８ａが、風船部材本体８６の空気口８６ａに装着されている。
【０３１２】
この実施例では、ノズル部材８８の基端部８８ａは、略ドーム形状になっており、その中央部分に開口部８８ｂが形成されている。
【０３１３】
また、図２０に示したように、ノズル部材８８には、ノズル形状となった先端部８８ｃを備えている。この先端部８８ｃには、複数の空気穴８８ｄが形成されており、この空気穴８８ｄと開口部８８ｂとが連通するように構成されている。
【０３１４】
そして、ノズル部材８８の先端部８８ｃが、ゴムまり部材本体８２の空気導入口８２ａに脱着自在に挿入されるように構成されている。
【０３１５】
このように構成される特許文献３のゴムまり部材８０は、以下のようにして使用される。
【０３１６】
先ず、公知のボール用の空気ポンプなどを用いて、ゴムまり部材本体８２の空気導入口８２ａを介して、ゴムまり部材本体８２の内部に空気を導入して、ゴムまり部材本体８２を膨らませる。
【０３１７】
その後、ゴムまり部材本体８２の空気導入口８２ａに、ノズル部材８８の先端部８８ｃを所定の位置（ゴムまり部材本体８２内の空気が外部に漏洩しない位置）まで挿入する。
【０３１８】
これにより、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張するように構成されている。
【０３１９】
なお、この際、図２０に示したように、本発明のゴムまり部材８０を用いて、本発明のトレーニング用ベルト１０を組み立てて、トレーニングのために、ゴムまり部材８０を両足Ｄの間に挟んだ状態で使用しても良いように構成されている。
【０３２０】
この場合には、トレーニング用ベルト１０を使用して、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張するように構成されている。
【０３２１】
このように構成することにって、ゴムまり部材８０を用いて、ゴムまり部材本体８２に、外部より圧力を加えることによって、ゴムまり部材本体８２の内部の空気が、ノズル部材８８の先端部８８ｃに形成された空気穴８８ｄ、ノズル部材８８の基端部８８ａの開口部８８ｂを介して、風船部材本体８６に移動して、風船部材本体８６が膨張する。
【０３２２】
一方、ゴムまり部材本体８２への外部より圧力を弱めることによって、ゴムまり部材本体８２の弾性によって、ゴムまり部材本体８２が膨張する方向に移動する。
【０３２３】
これにより、逆に、風船部材本体８６内の空気が、ノズル部材８８の基端部８８ａの開口部８８ｂ、ノズル部材８８の先端部８８ｃに形成された空気穴８８ｄを介して、ゴムまり部材本体８２内に移動して、ゴムまり部材本体８２が膨張するとともに、風船部材本体８６が萎むように構成されている。
【０３２４】
このように構成することにって、例えば、脚の運動、握力の強化などの様々な運動、エクササイズにおいて、風船部材本体８６が膨らんだり、萎んだりするので、運動の目安となって極めて便利である。
【０３２５】
また、例えば、両股の間に、ゴムまり部材８０のゴムまり部材本体８２を挟んで、両股を閉じる運動をする際の、この運動の押圧力で、ゴムまり部材本体８２に、外部より圧力を加えることによって、ゴムまり部材本体８２内部の空気が、ノズル部材８８の先端部８８ｃに形成された空気穴８８ｄを介して、風船部材本体８６に移動して、風船部材本体８６が膨張する。
【０３２６】
そして、運動を停止して、例えば、今度は、両股を開く運動や、休憩している間に、風船部材本体８６の圧力によって、ノズル部材８８の先端部８８ｃに形成された空気穴８８ｄを介して、ゴムまり部材本体８２内部に空気が移動して、ゴムまり部材本体８２が再び膨張する。
【０３２７】
このような繰り返しで、ゴムまり部材８０による連続した運動が可能となる。
【０３２８】
また、ノズル部材８８の先端部８８ｃを、ゴムまり部材本体８２の空気導入口８２ａに脱着自在に挿入するだけで良いので、従来の特許文献３のゴムまり部材８０のように、ゴムまり部材本体８２の空気導入口８２ａとは別に、ゴムまり部材本体８２の開閉穴８２ｃを設ける必要がなく、またゴムまり部材本体８２として、市販・汎用されているゴムまりを使用することができ、コストを低減できる。
（実施例６）
【０３２９】
図２１は、本発明のゴムまり部材８０の風船部材８４の概略図である。
【０３３０】
この実施例のトレーニング用ベルト１０は、図１９〜図２０に示した実施例５のトレーニング用ベルト１０と基本的には同様な構成であり、同一の構成部材には、同一の参照番号を付して、その詳細な説明を省略する。
【０３３１】
この実施例のトレーニング用ベルト１０では、ノズル部材８８として、市販・汎用されているゴムまりに空気を注入する空気ポンプ用に使用する空気針を、そのまま使用することができるようにしたものである。
【０３３２】
図２１に示したように、この実施例のトレーニング用ベルト１０では、ゴムまり部材８０は、風船部材８４の風船部材本体８６の空気口８６ａには、ノズル部材８８を脱着自在に装着するノズル装着部材８１が取り付けられている。
【０３３３】
このように構成することにって、風船部材８４の風船部材本体８６の空気口８６ａには、ノズル部材８８を脱着自在に装着するノズル装着部材８１が取り付けられているので、ノズル部材８８として、市販・汎用されているゴムまりに空気を注入する空気ポンプ用に使用する空気針を使用することができ、操作が簡単で汎用性のあるトレーニング用ベルト１０、および、ゴムまり部材８０を提供することができる。
【０３３４】
また、この実施例のゴムまり部材は、図２１に示したように、ノズル部材８８の基端部８８ａと反対側の先端部には、雄ネジ部８３が形成され、ノズル装着部材８１の基端部には、雌ネジ部８５が形成されている。
【０３３５】
これにより、ノズル部材８８の雄ネジ部８３と、ノズル装着部材８１の雌ネジ部８５を螺合することによって、風船部材８４の風船部材本体８６に、ノズル部材８８を脱着自在に装着することができるように構成されている。
【０３３６】
また、風船部材８４の風船部材本体８６の空気口８６ａには、風船部材本体８６を、ノズル装着部材８１に脱着自在に装着する、例えば、リング部材などからなる風船固定部材８６ｂが取り付けられている。
【０３３７】
このように構成することにって、ノズル部材８８の雄ネジ部８３と、ノズル装着部材８１の雌ネジ部８５を螺合することによって、風船部材８４の風船部材本体８６に、ノズル部材８８を脱着自在に装着することができるので、ノズル部材８８として、市販・汎用されているゴムまりに空気を注入する空気ポンプ用に使用する空気針を使用することができ、操作がより簡単で汎用性のあるトレーニング用ベルト１０、および、ゴムまり部材８０を提供することができる。
（実施例７）
【０３３８】
図２２は、本発明の別の実施例を示す、ゴムまり部材８０を用いて、本発明のトレーニング用ベルト１０を組み立てて、トレーニングのために、ゴムまり部材８０を両足Ｄの間に挟んだ状態を説明する断面図である。
【０３３９】
この実施例のトレーニング用ベルト１０は、図１６〜図２０に示した実施例のトレーニング用ベルト１０と基本的には同様な構成であり、同一の構成部材には、同一の参照番号を付して、その詳細な説明を省略する。
【０３４０】
この実施例のトレーニング用ベルト１０では、図２２に示したように、左右一対で合計２個の第３の係止部材１３を備えている。
【０３４１】
また、これらの第３の係止部材１３として、図１６に示した実施例３のベルト連結部１７と、係止部材本体１５とを用いている。
【０３４２】
すなわち、図２２に示したように、この実施例のトレーニング用ベルト１０では、ベルト連結部１７のベルト連結部材１９ｃには、別の輪形状の伸縮自在なベルト部材１２ｅの一端部１２ｆ（１２ｇ）を脱着自在に挿入係止するための第１のベルト係合穴２３が形成されている。
【０３４３】
また。ベルト連結部１７の連結部材１９には、別の輪形状の伸縮自在なベルト部材１２ｅの他端部１２ｆ（１２ｇ）を脱着自在に挿入係止するための第２のベルト係合穴２５が形成されている。
【０３４４】
このように構成することによって、第１のベルト係合穴２３に、別の輪形状の伸縮自在なベルト部材１２ｅの一端部１２ｆを脱着自在に挿入係止するとともに、第２のベルト係合穴２５に、別の輪形状の伸縮自在なベルト部材１２ｅの他端部１２ｇを脱着自在に挿入係止するように構成されている。
【０３４５】
さらに、この場合、図示しないが、図１６に示した実施例３と同様に、この実施例のトレーニング用ベルト１０では、第２のベルト係合穴２５の形状が、幅の異なるスリット穴形状、すなわち、細幅部２５ａと太幅部２５ｂとから構成されている。
【０３４６】
そして、別の輪形状の伸縮自在なベルト部材１２ｅの他端部１２ｆ（１２ｇ）が、スリット穴の細幅部２５ａの部分に脱着自在に、例えば、拡径部２７ａにより係止されるように構成されている。
【０３４７】
また、この実施例のトレーニング用ベルト１０では、図２２に示したように、ベルト部材１２が、第１のベルト部材１２ａ、第２のベルト部材１２ｂ、第３のベルト部材１２ｈの合計３本のベルト部材１２から構成されている。
【０３４８】
このため、図２２に示したように、合計３個の中間係止部材１４が備えられ、これらの３個の中間係止部材１４によって、第１のベルト部材１２ａ、第２のベルト部材１２ｂ、第３のベルト部材１２ｈが連結されて輪形状になるように構成されている。
【０３４９】
また、この実施例のトレーニング用ベルト１０では、図２２に示したように、第３のベルト部材１２ｈが、折り返すように真ん中に配置された中間係止部材１４に括り付けて輪形状になるように構成されている。
【０３５０】
また、この実施例のトレーニング用ベルト１０では、図２２に示したように、風船部材８４の空気口８６ａに装着されたノズル部材８８の基端部８８ａが、後述する図２４（ｂ）に示したように、風船部材本体８６の空気口８６ａから風船部材本体８６の内部に向かってその径が拡大するような逆円錐形状になっている。
【０３５１】
これにより、風船部材８４の空気口８６ａから、ノズル部材８８の基端部８８ａが、抜け落ちるのが防止されるようになっている。
【０３５２】
このように構成される実施例のトレーニング用ベルト１０では、図１６〜図２０に示した実施例のトレーニング用ベルト１０と基本的には同様な作用効果を奏することができる。
（実施例８）
【０３５３】
図２３は、本発明のトレーニング用ベルト１０の別の実施例の部分分解上面図である。
【０３５４】
この実施例のトレーニング用ベルト１０は、図１５〜図２２に示した実施例のトレーニング用ベルト１０と基本的には同様な構成であり、同一の構成部材には、同一の参照番号を付して、その詳細な説明を省略する。
【０３５５】
図２３に示したように、この実施例のトレーニング用ベルト１０では、第１の係止部材２０が、スナップフィット型の雌形状係止部材５０と、雄形状係止部材５６とから構成されている。
【０３５６】
そして、この雌形状係止部材５０には、後述する雄形状係止部材５６の雄形係合部５６ａが、脱着自在に係合する２つの雌型係合孔５０ａが形成されている。
【０３５７】
一方、雄形状係止部材５６には、雄形状係止部材５６のベルト部材１２側（第２のベルト部材１２ｂの他方の端部１２ｄ側）には、ベルト部材１２ｂを脱着自在に挿入係止する第２の挿入係合部材４２が一体的に備えられている。
【０３５８】
また、第２の挿入係合部材４２のスリット４２ａは、雄形状係止部材５６の雄形係合部５６ａの間に形成されている。
【０３５９】
また、この実施例では、雌形状係止部材５０において、ベルト部材１２ａを脱着自在に挿入係止するためのスリット３４ａが、雌形状係止部材５０自体に形成されている。
【０３６０】
このように構成することによって、スナップフィット型の雌形状係止部材５０と雄形状係止部材５６とを係止（雄形状係止部材５６の雄形係合部５６ａを、雌形状係止部材５０の雌型係合孔５０ａに脱着自在に係合する）することによって、輪形状になるように構成されている。
【０３６１】
さらに、この実施例では、図２３に示したように、雄形状係止部材５６には、雌形状係止部材５０と雄形状係止部材５６とを係止する際に、手指が雄形状係止部材５６の先端側にかからないようにするためのストッパー部５１が外方に?設されている。
【０３６２】
このように構成することによって、雄形状係止部材５６のストッパー部５１によって、雌形状係止部材５０と雄形状係止部材５６とを係止する際に、手指が雄形状係止部材５６の先端側にかからず、誤って手指を挟んだりすることがないように構成されている。
【０３６３】
さらに、この実施例では、図２３に示したように、雄形状係止部材５６には、伸縮自在なベルト部材１２が、引っ張られている状態では、雌形状係止部材５０と雄形状係止部材５６との係止状態を解除できず、伸縮自在なベルト部材が、引っ張られていない状態では、雌形状係止部材５０と雄形状係止部材５６との係止状態を解除できる解除防止部材５３が外方に?設されている。
【０３６４】
このように構成することによって、伸縮自在なベルト部材１２が、引っ張られている状態で、誤って雌形状係止部材５０と雄形状係止部材５６との係止状態を解除されることがないように構成されている。。
（実施例９）
【０３６５】
図２４は、本発明のゴムまり部材８０の風船部材８４の概略図である。
【０３６６】
この実施例のトレーニング用ベルト１０は、図２１に示した実施例６のトレーニング用ベルト１０と基本的には同様な構成であり、同一の構成部材には、同一の参照番号を付して、その詳細な説明を省略する。
【０３６７】
また、この実施例のゴムまり部材は、図２４（ａ）に示したように、ノズル部材８８の基端部８８ａ全体が、風船部材８４の風船部材本体８６の空気口８６ａの内部に配置されている構造である。
【０３６８】
さらに、図２４（ｂ）に示したように、風船部材本体８６の空気口８６ａから風船部材本体８６の内部に向かってその径が拡大するような逆円錐形状になっている。
【０３６９】
この実施例のトレーニング用ベルト１０でも、ノズル部材８８として、市販・汎用されているゴムまりに空気を注入する空気ポンプ用に使用する空気針を、そのまま使用することができるようにしたものである。
（実施例１０）
【０３７０】
図２５は、本発明のトレーニング用ベルト１０の第３の係止部材１３の別の実施例の分解斜視図である。
【０３７１】
この実施例のトレーニング用ベルト１０は、図１６に示した実施例３のトレーニング用ベルト１０と基本的には同様な構成であり、同一の構成部材には、同一の参照番号を付して、その詳細な説明を省略する。
【０３７２】
図２５に示したように、この実施例のトレーニング用ベルト１０では、図１６に示した実施例３のトレーニング用ベルト１０の第３の係止部材１３のベルト連結部１７において、第１のベルト係合穴２３の形状も、幅の異なるスリット穴形状、すなわち、この実施例では、略鍵穴形状の細幅部２３ａと太幅部２３ｂとから構成されている。
【０３７３】
そして、別の輪形状の伸縮自在なベルト部材１２ｅの他端部１２ｆ（１２ｇ）が、スリット穴の細幅部２３ａの部分に脱着自在に係止されるように構成されている。
【０３７４】
これにより、図２５に示したように、別の輪形状の伸縮自在なベルト部材１２ｅの他端部１２ｆ（１２ｇ）に拡径部２７ｂを作製し、この拡径部２７ａを第１のベルト係合穴２３に、太幅部２３ｂから挿入して、第１のベルト係合穴２３のスリット穴の細幅部２３ａに脱着自在に係止されるように構成されている。
【０３７５】
従って、より簡単容易に別の輪形状の伸縮自在なベルト部材１２ｅを脱着自在に連結することが可能なトレーニング用ベルト１０を提供することができる。
（実施例１１）
【０３７６】
図２６は、本発明のトレーニング用ベルト１０の第３の係止部材１３の別の実施例の分解斜視図、図２７は、図２６の第３の係止部材１３のベルト連結部１７の連結部材１９の図１７のＢ方向の矢視図である。
【０３７７】
この実施例のトレーニング用ベルト１０は、図１７〜図１８に示した実施例４のトレーニング用ベルト１０と基本的には同様な構成であり、同一の構成部材には、同一の参照番号を付して、その詳細な説明を省略する。
【０３７８】
すなわち、図２６〜図２７に示したように、この実施例のトレーニング用ベルト１０では、ベルト連結部１７の略平板形状の連結部材１９の一部分に、鈎形状のフック本体１７ｃと反対方向に突出するように、屈曲部２７が形成されている。
【０３７９】
そして、この屈曲部２７に、第２のベルト係合穴２５が形成され、第２のベルト係合穴２５の形状が、幅の異なるスリット穴形状、すなわち、細幅部２５ａと太幅部２５ｂとから構成される。
なお、この実施例では、図２７に示したように、第２のベルト係合穴２５の幅が、徐々に狭くなるように形成することによって、細幅部２５ａと太幅部２５ｂとが形成されるようになっている。
【０３８０】
また、図２６〜図２７に示したように、この実施例のトレーニング用ベルト１０では、図１７〜図１８に示した実施例３のトレーニング用ベルト１０の第３の係止部材１３のベルト連結部１７において、第１のベルト係合穴２３の形状も、幅の異なるスリット穴形状、すなわち、この実施例では、略鍵穴形状の細幅部２３ａと太幅部２３ｂとから構成されている。
【０３８１】
そして、別の輪形状の伸縮自在なベルト部材１２ｅの他端部１２ｆ（１２ｇ）が、スリット穴の細幅部２３ａの部分に脱着自在に係止されるように構成されている。
【０３８２】
これにより、図２６〜図２７に示したように、別の輪形状の伸縮自在なベルト部材１２ｅの他端部１２ｆ（１２ｇ）に拡径部２７ｂを作製し、この拡径部２７ｂを第１のベルト係合穴２３に、太幅部２３ｂから挿入して、第１のベルト係合穴２３のスリット穴の細幅部２３ａに脱着自在に係止されるように構成されている。
【０３８３】
従って、より簡単容易に別の輪形状の伸縮自在なベルト部材１２ｅを脱着自在に連結することが可能なトレーニング用ベルト１０を提供することができる。
（実施例１２）
【０３８４】
図２８は、本発明のトレーニング用ベルト１０の第３の係止部材１３の別の実施例の図２７と同様な矢視図である。
【０３８５】
この実施例のトレーニング用ベルト１０は、図２６〜図２７に示した実施例１１のトレーニング用ベルト１０と基本的には同様な構成であり、同一の構成部材には、同一の参照番号を付して、その詳細な説明を省略する。
【０３８６】
すなわち、図２８に示したように、この実施例のトレーニング用ベルト１０では、第３の係止部材１３の係止部材本体１５の第２のベルト挿着穴１５ｇの形状が、幅の異なるスリット穴形状、すなわち、この実施例では、略鍵穴形状の細幅部１５ｈと太幅部１５ｉとから構成されている。
【０３８７】
そして、第３の係止部材１３の係止部材本体１５の第２のベルト挿着穴１５ｇの細幅部１５ｈに、ベルト連結部１７のフック型連結部材のフック本体１７ｃを係止する。
これによって、輪形状になったトレーニング用ベルト１０のベルト部材１２に、別の輪形状の伸縮自在なベルト部材１２ｅを脱着自在に連結するように構成されている。
【０３８８】
このように構成することによって、第３の係止部材１３の係止部材本体１５の第２のベルト挿着穴１５ｇの形状が、幅の異なるスリット穴形状、すなわち、この実施例では、略鍵穴形状の細幅部１５ｈと太幅部１５ｉとから構成されている。
【０３８９】
これにより、第３の係止部材の係止部材本体の第２のベルト挿着穴の細幅部に、第３の係止部材１３の係止部材本体１５の第２のベルト挿着穴１５ｇの細幅部１５ｈに、ベルト連結部１７のフック型連結部材のフック本体１７ｃを係止するすることができる。
【０３９０】
これにより、ベルト連結部１７のフック型連結部材のフック本体１７ｃの抜け落ちが防止できる。
従って、輪形状になったトレーニング用ベルト１０のベルト部材１２に、別の輪形状の伸縮自在なベルト部材１２ｅをより強固に脱着自在に連結することができる。
（実施例１３）
【０３９１】
図２９は、本発明のトレーニング用ベルト１０の別の実施例の部分分解上面図、図３０は、図２９のトレーニング用ベルト１０の組み立てた状態の断面図である。
である。
【０３９２】
この実施例のトレーニング用ベルト１０は、図１５〜図２８に示した実施例のトレーニング用ベルト１０と基本的には同様な構成であり、同一の構成部材には、同一の参照番号を付して、その詳細な説明を省略する。
【０３９３】
図２９〜図３０に示したように、この実施例のトレーニング用ベルト１０では、第１の係止部材２０が、バックル型のバックル型係止部材２２から構成されている。
【０３９４】
このバックル型係止部材２２は、服飾のベルトに用いられている従来公知のバックル型係止部材を用いることができるものであって、特に限定されるものではない。
【０３９５】
この実施例では、例えば、図３０のバックル型係止部材２２の部分拡大断面図で示したような構造のものを使用している。
【０３９６】
具体的には、バックル型係止部材２２は、バックル本体２４と、このバックル本体２４の一端に形成されたヒンジ２６を介して、図３０の矢印Ａ方向に、バックル本体２４に対して開閉可能なバックル開閉部材２８を備えている従来のバックル構造である。
【０３９７】
また、図３０に示したように、バックル型係止部材２２には、バックル本体２４の上面に、一定間隔離間して上方に突出するように形成された複数の（この実施例の場合には、２つの）幅方向に延びる第１の突設係止部３０ａ、３０ｂが形成されている。
【０３９８】
そして、バックル開閉部材２８の下面には、これらの第１の突設係止部３０ａ、３０ｂに対応して、複数の（この実施例の場合には、２つの）幅方向に延び、これらの第１の突設係止部３０ａ、３０ｂとは、位置がずれるように下方に突出形成された第２の突設係止部３２ａ、３２ｂが形成されている。
【０３９９】
これにより、図３０の矢印Ａ方向に、バックル本体２４に対して、バックル開閉部材２８を閉じた際に、図３０の矢印Ｂ方向に、バックル型係止部材２２内に、後述する第２の係止部材３８を構成するベルト形状のベルト型係止部材４０を挿着した際に、ベルト型係止部材４０が、これらの第１の突設係止部３０ａ、３０ｂ、第２の突設係止部３２ａ、３２ｂとの間に挟持され、しっかりとトレーニング用ベルト１０の長さ位置を調節保持することができるように構成されている。
【０４００】
バックル型係止部材２２のベルト部材１２側（第１のベルト部材１２ａの一方の端部１２ｃ側）には、ベルト部材１２ａを脱着自在に挿入係止する第１の挿入係合部材３４が備えられている。
【０４０１】
また、バックル型係止部材２２は、バックル型係止部材２２のベルト部材１２側（第１のベルト部材１２ａの一方の端部１２ｃ側）には、ベルト部材１２ａを脱着自在に挿入係止するために、図１の実施例と同様な構成の第１の挿入係合部材３４が固着されている。
【０４０２】
すなわち、第１の挿入係合部材３４には、ベルト部材１２ａを脱着自在に挿入係止するためのスリット３４ａを備えた第１のベルト係合穴３６が形成されている。
【０４０３】
このように構成することによって、バックル型係止部材２２のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０４０４】
（実施例１４）
図３１は、本発明のトレーニング用ベルト１０の別の実施例の部分分解図、図３２は、図３１のトレーニング用ベルト１０の組み立てた状態の断面図である。
【０４０５】
この実施例のトレーニング用ベルト１０は、図１５〜図２８に示したトレーニング用ベルト１０と基本的には同様な構成であり、同一の構成部材には、同一の参照番号を付して、その詳細な説明を省略する。
【０４０６】
図３１〜図３２に示したように、この実施例のトレーニング用ベルト１０では、図３１〜図３２に示したように、図１４と同様に、バックル型係止部材２２であって、バックル開閉部材２８の端部に、突設係止部２８ａのみを設けた構造となっている。
【０４０７】
また、バックル型係止部材２２は、バックル型係止部材２２のベルト部材１２側（第１のベルト部材１２ａの一方の端部１２ｃ側）には、ベルト部材１２ａを脱着自在に挿入係止するために、図１の実施例と同様な構成の第１の挿入係合部材３４が固着されている。
【０４０８】
すなわち、第１の挿入係合部材３４には、ベルト部材１２ａを脱着自在に挿入係止するためのスリット３４ａを備えた第１のベルト係合穴３６が形成されている。
【０４０９】
このように構成することによって、バックル型係止部材２２のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０４１０】
（実施例１５）
図３３は、本発明のトレーニング用ベルト１０の第１の係止部材２０であるバックル型係止部材２２の別の実施例を示す部分拡大断面図である。
【０４１１】
この実施例のトレーニング用ベルト１０は、図１５〜図２２に示したトレーニング用ベルト１０と基本的には同様な構成であり、同一の構成部材には、同一の参照番号を付して、その詳細な説明を省略する。
【０４１２】
図３３に示したように、この実施例のトレーニング用ベルト１０では、図３０の実施例のバックル型係止部材２２のように、第１の突設係止部３０ａ、３０ｂ、第２の突設係止部３２ａ、３２ｂを設ける代わりに、図３３に示したように、バックル開閉部材２８の端部に、突設係止部２８ａのみを設けた構造となっている。
【０４１３】
これにより、図３３の矢印Ａ方向に、バックル本体２４に対して、バックル開閉部材２８を閉じた際に、図３３の矢印Ｂ方向に、バックル型係止部材２２内に、第２の係止部材３８を構成するベルト形状のベルト型係止部材４０を挿着した際に、ベルト型係止部材４０が、バックル開閉部材２８の端部に形成された突設係止部２８ａと、バックル本体２４との間に挟持され、しっかりとトレーニング用ベルト１０の長さ位置を調節保持することができるように構成されている。
【０４１４】
以上、本発明の好ましい実施の態様を説明してきたが、本発明はこれに限定されることはなく、本発明のトレーニング用ベルト１０、ゴムまり部材８０は、本発明の目的を逸脱しない範囲で種々の変更が可能である。
【産業上の利用可能性】
【０４１５】
本発明は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニングに使用する、例えば、ゴムなどの伸縮自在なベルトから構成されるトレーニング用ベルト、および、ゴムまり部材に適用することができる。
【符号の説明】
【０４１６】
１０    トレーニング用ベルト
１１ｂ    係止部
１２    ベルト部材
１２ａ    第１のベルト部材
１２ｂ    第２のベルト部材
１２ｃ    端部
１２ｄ    端部
１２ｅ    ベルト部材
１２ｆ、１２ｇ    端部
１２ｈ    第３のベルト部材
１３    第３の係止部材
１４    中間係止部材
１４ａ    係止バー本体
１４ｂ    延設部
１４ｃ    第１の係止バー部材
１４ｄ    第２の係止バー部材
１５    係止部材本体
１５ａ    平板部
１５ｂ、１５ｃ    側板部
１５ｄ    係止孔
１５ｅ    保護部材
１５ｆ    第１のベルト挿着穴
１５ｇ    第２のベルト挿着穴
１５ｈ    細幅部
１５ｉ    太幅部
１６ａ    第１の係止穴
１６ｂ    第２の係止穴
１７    ベルト連結部
１７ａ    開閉部材
１７ｂ    リング穴
１７ｃ    フック本体
１７ｄ    拡大球形部
１８ａ    第１のスリット
１８ｂ    第２のスリット
１９    挿入係合部材
１９ａ    開閉部
１９ｂ    リング孔
１９ｃ    ベルト連結部材
２０    第１の係止部材
２１    ロック係止機構
２１ａ    蝶ネジ
２１ｂ    ベルト係合穴
２２    バックル型係止部材
２２ａ    フック型係止部材
２３    第１のベルト係合穴
２３ａ    細幅部
２３ｂ    太幅部
２４    バックル本体
２４ａ    フック本体
２５    第２のベルト係合穴
２５ａ    細幅部
２５ｂ    太幅部
２６    ヒンジ
２６ａ    第１の挿入係合部材
２６ｂ    スリット
２７    屈曲部
２７ａ、２７ｂ    拡径部
２８    バックル開閉部材
２８ａ    第１のベルト係合穴
３０    第２の係止部材
３０ａ、３０ｂ    第１の突設係止部
３２    フック係合穴
３２ａ、３２ｂ    第２の突設係止部
３４    第１の挿入係合部材
３４ａ    スリット
３４ｂ    第２のベルト係合穴
３６    第１のベルト係合穴
３８    第２の係止部材
４０    ベルト型係止部材
４２ａ    スリット
４２    第２の挿入係合部材
５０    雌形状係止部材
５０ａ    雌型係合孔
５１    ストッパー部
５３    解除防止部材
５６    雄形状係止部材
５６ａ    雄形係合部
８０    ゴムまり部材
８１    ノズル装着部材
８２    ゴムまり部材本体
８２ａ    空気導入口
８２ｂ    蓋部材
８２ｃ    開閉穴
８３    雄ネジ部
８４    風船部材
８５    雌ネジ部
８６    風船部材本体
８６ａ    空気口
８６ｂ    風船固定部材
８８    ノズル部材
８８ａ    基端部
８８ｂ    開口部
８８ｃ    先端部
８８ｄ    空気穴
１００    トレーニングツール
１０２    第１の伸縮性部材
１０４    第２の伸縮性部材
１０６    ループ
１０８    接合部
Ａ    矢印
Ｂ    矢印
Ｄ    両足
Ｅ    矢印
Ｆ    矢印
【要約】
【課題】  従来の一般的に販売されているループバンドを利用することが可能で、複数のループバンドを簡単な構造で、しかも容易に任意の長さに連結でき、コストも手間も低減でき、持ち運びにも便利なトレーニング用ベルトを提供する。
【解決手段】  複数の輪形状の伸縮自在なベルト部材１２と、複数のベルト部材１２同士を、脱着自在に連結する中間係止部材１４と、中間係止部材１４で連結されたベルト部材１２の一方の端部に、脱着自在に連結される第１の係止部材２０と、中間係止部材１４で連結されたベルト部材１２の他方の端部に、脱着自在に連結される第２の係止部材３８とを備え、第１の係止部材２０と第２の係止部材３８とを係止することによって、輪形状になるように構成した。
【選択図】図４【図１】
0006820576.tif 000002
【図２】
0006820576.tif 000003
【図３】
0006820576.tif 000004
【図４】
0006820576.tif 000005
【図５】
0006820576.tif 000006
【図６】
0006820576.tif 000007
【図７】
0006820576.tif 000008
【図８】
0006820576.tif 000009
【図９】
0006820576.tif 000010
【図１０】
0006820576.tif 000011
【図１１】
0006820576.tif 000012
【図１２】
0006820576.tif 000013
【図１３】
0006820576.tif 000014
【図１４】
0006820576.tif 000015
【図１５】
0006820576.tif 000016
【図１６】
0006820576.tif 000017
【図１７】
0006820576.tif 000018
【図１８】
0006820576.tif 000019
【図１９】
0006820576.tif 000020
【図２０】
0006820576.tif 000021
【図２１】
0006820576.tif 000022
【図２２】
0006820576.tif 000023
【図２３】
0006820576.tif 000024
【図２４】
0006820576.tif 000025
【図２５】
0006820576.tif 000026
【図２６】
0006820576.tif 000027
【図２７】
0006820576.tif 000028
【図２８】
0006820576.tif 000029
【図２９】
0006820576.tif 000030
【図３０】
0006820576.tif 000031
【図３１】
0006820576.tif 000032
【図３２】
0006820576.tif 000033
【図３３】
0006820576.tif 000034
【図３４】
0006820576.tif 000035
【図３５】
0006820576.tif 000036
【図３６】
0006820576.tif 000037
【図３７】
0006820576.tif 000038
【図３８】
0006820576.tif 000039
【図３９】
0006820576.tif 000040
【図４０】
0006820576.tif 000041
【図４１】
0006820576.tif 000042
【図４２】
0006820576.tif 000043
【図４３】
0006820576.tif 000044
【図４４】
0006820576.tif 000045